(57)【要約】【課題】使い勝手性を向上可能な硬貨処理装置を提供する。【解決手段】硬貨カセット３２は、装置本体から受け入れた硬貨を収納する収納体２０１と、収納体２０１を開閉する開閉体２０３と、開閉体２０３を閉状態でロックする開閉ロック部２３１と、別体のキー部材２６８のキー操作で開閉ロック部２３１のロックを解除するキーロック解除機構２７１と、を有しており、装置本体は、装置本体にセットされた状態の硬貨カセット３２の開閉ロック部２３１のロックを電動で解除する装置本体側ロック解除機構を有する。【選択図】図６
2018073180.tif 000002
【特許請求の範囲】
【請求項１】
装置本体と、
前記装置本体に対し着脱可能であり前記装置本体にセットされた状態で該装置本体から硬貨を受け入れて収納する硬貨カセットと、を備え、
前記硬貨カセットは、
前記装置本体から受け入れた硬貨を収納する収納体と、
前記収納体を開閉する開閉体と、
前記開閉体を閉状態でロックする開閉ロック部と、
別体のキー部材のキー操作で前記開閉ロック部のロックを解除するキーロック解除機構と、を有しており、
前記装置本体は、該装置本体にセットされた状態の前記硬貨カセットの前記開閉ロック部のロックを電動で解除する装置本体側ロック解除機構を有することを特徴とする硬貨処理装置。
【請求項２】
前記キーロック解除機構は、前記硬貨カセットが前記装置本体にセットされた状態では、前記キー操作が規制されることを特徴とする請求項１記載の硬貨処理装置。
【請求項３】
前記装置本体は、該装置本体にセットされた状態の前記硬貨カセットをセット状態でロックするとともに電動でロックが解除されるカセットロック機構を有することを特徴とする請求項１または２記載の硬貨処理装置。
【請求項４】
前記硬貨カセットは、前記装置本体にセットされた状態で収納している硬貨を前記装置本体に繰り出し可能であることを特徴とする請求項１乃至３のいずれか一項記載の硬貨処理装置。
【請求項５】
入金部に投入され識別部で識別された硬貨を金種混合で繰り出し可能に一時貯留する一時貯留部と、
前記一時貯留部から繰り出された硬貨を繰り出し可能に収納する金種別の繰出収納部と、
前記一時貯留部から繰り出された硬貨のうち、前記繰出収納部でオーバーフローするオーバーフロー硬貨を金種混合で繰り出し可能に収納する一括収納部と、を有し、
前記硬貨カセットを前記一括収納部とする第１の動作モードと、
前記硬貨カセットを前記一時貯留部とする第２の動作モードと、に切り替え可能であることを特徴とする請求項４記載の硬貨処理装置。
【請求項６】
前記第１の動作モードおよび前記第２の動作モードの両方で、前記硬貨カセットを、カセット収集処理時に前記金種別の繰出収納部から繰り出された硬貨を収納する一括収納カセットとすることを特徴とする請求項５記載の硬貨処理装置。
【請求項７】
前記第１の動作モードおよび前記第２の動作モードの両方で、前記硬貨カセットを、カセット補充処理時に前記金種別の繰出収納部に補充する硬貨が装填される一括収納カセットとすることを特徴とする請求項５または６記載の硬貨処理装置。
【発明の詳細な説明】
【技術分野】
【０００１】
本発明は、硬貨を処理する硬貨処理装置に関する。
【背景技術】
【０００２】
従来から、入金された硬貨の識別や計数処理を行う硬貨処理装置が知られている。このような硬貨処理装置の中には、入金された硬貨を識別部によって識別し、受け入れ可能と判断されて、操作者による入金確定承認がされる前の硬貨を、中間プール部（一時貯留部）に一時的に貯留することで、入金確定前の硬貨と、機内の硬貨とを厳格に区別して管理できる装置がある。また、中間プール部の他に、さらに硬貨収納と出金繰り出しが可能な環流式収納庫と、硬貨回収を一括して行える着脱自在に設けられた一括回収庫とを備えている装置がある（例えば、特許文献１参照）。
【先行技術文献】
【特許文献】
【０００３】
【特許文献１】特許第５４６２６６５号公報
【発明の概要】
【発明が解決しようとする課題】
【０００４】
硬貨処理装置においては、使い勝手性を向上させることが求められている。
【０００５】
本発明は、使い勝手性を向上可能な硬貨処理装置の提供を目的とする。
【課題を解決するための手段】
【０００６】
上記目的を達成するために、本発明に係る第１の態様は、装置本体と、前記装置本体に対し着脱可能であり前記装置本体にセットされた状態で該装置本体から硬貨を受け入れて収納する硬貨カセットと、を備え、前記硬貨カセットは、前記装置本体から受け入れた硬貨を収納する収納体と、前記収納体を開閉する開閉体と、前記開閉体を閉状態でロックする開閉ロック部と、別体のキー部材のキー操作で前記開閉ロック部のロックを解除するキーロック解除機構と、を有しており、前記装置本体は、該装置本体にセットされた状態の前記硬貨カセットの前記開閉ロック部のロックを電動で解除する装置本体側ロック解除機構を有することを特徴とする。
【０００７】
上記第１の態様によれば、硬貨カセットは、開閉体が開閉ロック部でロックされることになるが、硬貨カセットが装置本体にセットされた状態にあれば、装置本体の装置本体側ロック解除機構が電動で開閉ロック部のロックを解除することになる。よって、装置本体側の管理下で開閉ロック部のロックを解除することができるため、セキュリティ性を確保した上で、別体のキー部材のキー操作が不要となり、使い勝手性を向上させることができる。また、硬貨カセットのキーロック解除機構が別体のキー部材のキー操作で開閉ロック部のロックを解除することになるため、セキュリティ性を確保する上で必要な別体のキー部材のキー操作でのロック解除も可能である。
【０００８】
本発明に係る第２の態様は、上記第１の態様において、前記キーロック解除機構は、前記硬貨カセットが前記装置本体にセットされた状態では、前記キー操作が規制されることを特徴とする。
【０００９】
上記第２の態様によれば、キーロック解除機構は、硬貨カセットが装置本体にセットされた状態では、キー操作が規制されるため、装置本体側の管理下でのみ開閉ロック部のロックを解除することができることになり、セキュリティ性をより向上させることができる。
【００１０】
本発明に係る第３の態様は、上記第１または第２の態様において、前記装置本体は、該装置本体にセットされた状態の前記硬貨カセットをセット状態でロックするとともに電動でロックが解除されるカセットロック機構を有することを特徴とする。
【００１１】
上記第３の態様によれば、装置本体のカセットロック機構が、装置本体にセットされた状態の硬貨カセットをセット状態でロックするとともに電動でロックが解除されるため、装置本体側の管理下でロックを解除することができ、セキュリティ性をより向上させることができる。
【００１２】
本発明に係る第４の態様は、上記第１乃至第３のいずれか一態様において、前記硬貨カセットは、前記装置本体にセットされた状態で収納している硬貨を前記装置本体に繰り出し可能であることを特徴とする。
【００１３】
上記第４の態様によれば、硬貨カセットが、収納している硬貨を装置本体に繰り出し可能であるため、硬貨カセットの硬貨を装置本体に繰り出すことができる。
【００１４】
本発明に係る第５の態様は、上記第４の態様において、入金部に投入され識別部で識別された硬貨を金種混合で繰り出し可能に一時貯留する一時貯留部と、前記一時貯留部から繰り出された硬貨を繰り出し可能に収納する金種別の繰出収納部と、前記一時貯留部から繰り出された硬貨のうち、前記繰出収納部でオーバーフローするオーバーフロー硬貨を金種混合で繰り出し可能に収納する一括収納部と、を有し、前記硬貨カセットを前記一括収納部とする第１の動作モードと、前記硬貨カセットを前記一時貯留部とする第２の動作モードと、に切り替え可能であることを特徴とする。
【００１５】
上記第５の態様によれば、第１の動作モードでは、繰出収納部でオーバーフローするオーバーフロー硬貨（装置管理の硬貨）を硬貨カセットに収納可能となるため、装置本体の装置本体側ロック解除機構が開閉ロック部のロックを解除しないことで、オーバーフロー硬貨の取り出しを規制する。他方、第２の動作モードでは、入金部に投入され識別部で識別された、金種別の繰出収納部に収納する前の硬貨（装置管理前の硬貨）を硬貨カセットに一時貯留するため、一時貯留した硬貨を返却する返却処理時に、装置本体の装置本体側ロック解除機構が電動で開閉ロック部のロックを解除することで、開閉体を開けば、硬貨の返却が容易となる。
【００１６】
本発明に係る第６の態様は、上記第５の態様において、前記第１の動作モードおよび前記第２の動作モードの両方で、前記硬貨カセットを、カセット収集処理時に前記金種別の繰出収納部から繰り出された硬貨を収納する一括収納カセットとすることを特徴とする。
【００１７】
上記第６の態様によれば、第１の動作モードおよび第２の動作モードの両方で、カセット収集処理時に、硬貨カセットを、金種別の繰出収納部から繰り出された硬貨を収納する一括収納カセットとするため、いずれの動作モードであっても、収集した硬貨を収納した状態の硬貨カセットを、装置本体から取り外して運搬する際に、ロック解除に別体のキー部材のキー操作を要する状態で安全に運搬することができる。
【００１８】
本発明に係る第７の態様は、上記第５または第６の態様において、前記第１の動作モードおよび前記第２の動作モードの両方で、前記硬貨カセットを、カセット補充処理時に前記金種別の繰出収納部に補充する硬貨が装填される一括収納カセットとすることを特徴とする。
【００１９】
上記第６の態様によれば、第１の動作モードおよび第２の動作モードの両方で、カセット補充処理時に、硬貨カセットを、金種別の繰出収納部に補充する硬貨が装填される一括収納カセットとするため、いずれの動作モードであっても、硬貨が装填された状態の硬貨カセットを、装置本体にセットするまでの間、ロック解除に別体のキー部材のキー操作を要する状態で安全に運搬することができる。
【発明の効果】
【００２０】
使い勝手性を向上可能な硬貨処理装置を提供することができる。
【図面の簡単な説明】
【００２１】
【図１】本発明に係る硬貨処理装置の一実施形態である貨幣処理装置を示す斜視図である。
【図２】本発明に係る硬貨処理装置の一実施形態である貨幣処理装置を示す斜視図である。
【図３】本発明に係る硬貨処理装置の一実施形態である貨幣処理装置を示す斜視図である。
【図４】本発明に係る硬貨処理装置の一実施形態である貨幣処理装置の概略構成を示す平面図である。
【図５】本発明に係る硬貨処理装置の一実施形態である貨幣処理装置のプールカセットの内部構成を示す側面図である。
【図６】本発明に係る硬貨処理装置の一実施形態である貨幣処理装置のプールカセットを示す斜視図である。
【図７】本発明に係る硬貨処理装置の一実施形態である貨幣処理装置のプールカセットを示す斜視図である。
【図８】本発明に係る硬貨処理装置の一実施形態である貨幣処理装置のプールカセットを示す部分平面図である。
【図９】本発明に係る硬貨処理装置の一実施形態である貨幣処理装置のプールカセットを示す部分平面図である。
【図１０】本発明に係る硬貨処理装置の一実施形態である貨幣処理装置のキーロック解除機構を示す斜視図である。
【図１１】本発明に係る硬貨処理装置の一実施形態である貨幣処理装置のキーロック解除機構を示す斜視図である。
【図１２】本発明に係る硬貨処理装置の一実施形態である貨幣処理装置のキーロック解除機構、開閉ロック部および装置本体側ロック解除機構を示す斜視図である。
【図１３】本発明に係る硬貨処理装置の一実施形態である貨幣処理装置のキーロック解除機構を示す斜視図である。
【図１４】本発明に係る硬貨処理装置の一実施形態である貨幣処理装置のキーロック解除機構を示す斜視図である。
【図１５】本発明に係る硬貨処理装置の一実施形態である貨幣処理装置のキーロック解除機構、開閉ロック部及び装置本体側ロック解除機構を示す斜視図である。
【図１６】本発明に係る硬貨処理装置の一実施形態である貨幣処理装置のプールカセットおよびカセットハウジングを示す斜視図である。
【図１７】本発明に係る硬貨処理装置の一実施形態である貨幣処理装置のプールカセットおよびカセットハウジングを示す斜視図である。
【図１８】本発明に係る硬貨処理装置の一実施形態である貨幣処理装置の装置本体側ロック解除機構を示す側面図である。
【図１９】本発明に係る硬貨処理装置の一実施形態である貨幣処理装置の装置本体側ロック解除機構を示す側面図である。
【図２０】本発明に係る硬貨処理装置の一実施形態である貨幣処理装置のプールカセットおよびカセットハウジングを示す斜視図である。
【図２１】本発明に係る硬貨処理装置の一実施形態である貨幣処理装置のカセットロック機構を示す斜視図である。
【図２２】本発明に係る硬貨処理装置の一実施形態である貨幣処理装置のカセットロック機構を示す斜視図である。
【図２３】本発明に係る硬貨処理装置の一実施形態である貨幣処理装置の第１の入金処理の硬貨の流れを太線で示す平面図である。
【図２４】本発明に係る硬貨処理装置の一実施形態である貨幣処理装置の第１の返却処理の硬貨の流れを太線で示す平面図である。
【図２５】本発明に係る硬貨処理装置の一実施形態である貨幣処理装置の第１の収納処理の硬貨の流れを太線で示す平面図である。
【図２６】本発明に係る硬貨処理装置の一実施形態である貨幣処理装置の第１のカセット補充処理の硬貨の流れを太線で示す平面図である。
【図２７】本発明に係る硬貨処理装置の一実施形態である貨幣処理装置の第１のダイレクト補充処理の硬貨の流れを太線で示す平面図である。
【図２８】本発明に係る硬貨処理装置の一実施形態である貨幣処理装置の第１の出金処理の硬貨の流れを太線で示す平面図である。
【図２９】本発明に係る硬貨処理装置の一実施形態である貨幣処理装置の第１の自己精査処理の硬貨の流れを太線で示す平面図である。
【図３０】本発明に係る硬貨処理装置の一実施形態である貨幣処理装置の第１のカセット収集処理の硬貨の流れを太線で示す平面図である。
【図３１】本発明に係る硬貨処理装置の一実施形態である貨幣処理装置の第１のカルトン収集処理の硬貨の流れを太線で示す平面図である。
【図３２】本発明に係る硬貨処理装置の一実施形態である貨幣処理装置の第１の整理計数処理の硬貨の流れを太線で示す平面図である。
【図３３】本発明に係る硬貨処理装置の一実施形態である貨幣処理装置の第１の分配回収処理の硬貨の流れを太線で示す平面図である。
【図３４】本発明に係る硬貨処理装置の一実施形態である貨幣処理装置の第１の分配処理の硬貨の流れを太線で示す平面図である。
【図３５】本発明に係る硬貨処理装置の一実施形態である貨幣処理装置の第２の入金処理の硬貨の流れを太線で示す平面図である。
【図３６】本発明に係る硬貨処理装置の一実施形態である貨幣処理装置の第２の返却処理の硬貨の流れを太線で示す平面図である。
【図３７】本発明に係る硬貨処理装置の一実施形態である貨幣処理装置の第２の収納処理の硬貨の流れを太線で示す平面図である。
【図３８】本発明に係る硬貨処理装置の一実施形態である貨幣処理装置の第２のダイレクト補充処理の硬貨の流れを太線で示す平面図である。
【図３９】本発明に係る硬貨処理装置の一実施形態である貨幣処理装置の第２の出金処理の硬貨の流れを太線で示す平面図である。
【図４０】本発明に係る硬貨処理装置の一実施形態である貨幣処理装置の第２の自己精査処理の硬貨の流れを太線で示す平面図である。
【図４１】本発明に係る硬貨処理装置の一実施形態である貨幣処理装置の第２のカルトン収集処理の硬貨の流れを太線で示す平面図である。
【図４２】本発明に係る硬貨処理装置の一実施形態である貨幣処理装置の第２の整理計数処理の硬貨の流れを太線で示す平面図である。
【図４３】本発明に係る硬貨処理装置の一実施形態である貨幣処理装置の第２の分配回収処理の硬貨の流れを太線で示す平面図である。
【図４４】本発明に係る硬貨処理装置の一実施形態である貨幣処理装置の第２の分配処理の硬貨の流れを太線で示す平面図である。
【発明を実施するための形態】
【００２２】
本発明に係る硬貨処理装置の一実施形態である貨幣処理装置を図面を参照して以下に説明する。以下の説明における「前」は貨幣処理装置の操作者側、「後」は貨幣処理装置の操作者とは反対側、「左右」は貨幣処理装置の操作者から見て左右である。貨幣処理装置は硬貨の処理を行うとともに紙幣の処理も行うものである。
【００２３】
図１に示すように、本実施形態に係る貨幣処理装置１０は、前方に開口する直方体の箱状の筐体１１１と、筐体１１１に対し図１から図２、さらに図３に示すように水平前方への引き出しおよび図３から図２、さらに図１に示すように水平後方への押し込みが可能な貨幣処理ユニット１１２とを有している。よって、貨幣処理ユニット１１２の引き出し方向前方は、貨幣処理装置１０の前方と一致する。貨幣処理ユニット１１２は、その前部が常時露出して貨幣処理装置１０の前部を構成する装置前部構成部１２１となっており、その前後方向の中間部から後部が通常は筐体１１１内に収納され筐体１１１に覆われる図２および図３に示す内部ユニット部１２２となっている。内部ユニット部１２２は、筐体１１１から引き出されて外部に露出する。
【００２４】
貨幣処理ユニット１１２は、上部が硬貨の入出金処理を行う硬貨処理部１３１となっており、上下方向の中間部から下部が紙幣の入出金処理を行う紙幣処理部１３２となっている。装置前部構成部１２１の上面には、外部から入金硬貨が投入される硬貨入金部１２が設けられている。硬貨処理部１３１と紙幣処理部１３２との間には、前面から後方に凹むカルトン載置部１３が形成されており、このカルトン載置部１３には、貨幣処理装置１０から放出された出金硬貨を受け入れる、図４に示すカルトン１４が挿入されて載置される。図１〜図３に示すように、紙幣処理部１３２の上部の前面には、外部から入金紙幣が投入されるとともに外部に出金紙幣を取り出し可能に出金する紙幣入出金部１４３が設けられている。貨幣処理ユニット１１２内には、貨幣処理装置１０を制御する制御部６１が設けられている。
【００２５】
また、筐体１１１の上部の前端部には、入出力装置１４５が取り付けられている。入出力装置１４５には、操作者に向け画面表示を行うとともに操作者による操作入力を受け付けるタッチパネル式の操作表示部６２と、操作者に向けて音声出力を行う音声出力部１４７とが設けられている。
【００２６】
筐体１１１と、貨幣処理ユニット１１２の内部ユニット部１２２とは、図示略のスライドレールで連結されており、これにより、貨幣処理ユニット１１２は筐体１１１に対し水平前後方向にスライド可能となるように連結されている。
【００２７】
貨幣処理ユニット１１２は、筐体１１１に最も押し込まれた図１に示す所定の収納位置にあるとき、装置前部構成部１２１が筐体１１１の前面に当接し内部ユニット部１２２の全体が筐体１１１に覆われている。また、貨幣処理ユニット１１２は筐体１１１から最も引き出された図３に示す所定の最大引出位置にあるとき、筐体１１１との連結状態を維持したまま、内部ユニット部１２２を最大限露出させる。
【００２８】
図１に示すように、筐体１１１の下部には、前方に延出するようにラックギア１５１が取り付けられており、貨幣処理ユニット１１２の下部には、このラックギア１５１に沿って電動で移動する移動駆動部１５２が取り付けられている。移動駆動部１５２がラックギア１５１に沿って電動で移動することにより、移動駆動部１５２と一体に設けられた貨幣処理ユニット１１２が筐体１１１に対し引き出し方向に電動で移動し、押し込み方向にも電動で移動する。
【００２９】
移動駆動部１５２とラックギア１５１とが、移動機構１５３を構成しており、移動機構１５３は、貨幣処理ユニット１１２を筐体１１１に対して図１に示す収納位置から、収納位置と最大引出位置との間の図２に示す所定の切替引出位置まで電動で引き出し方向つまり前方に移動させる。
【００３０】
図４に示すように、本実施形態の貨幣処理装置１０は、前部に上記した硬貨入金部１２およびカルトン載置部１３を有している。硬貨入金部１２は、硬貨が外部から金種混合状態で一括して投入されるとともに投入された硬貨を一枚ずつ分離して繰り出す。硬貨入金部１２には、硬貨入金部１２を外部に対し開閉する図１〜図３に示すシャッタ１２ａが設けられている。硬貨入金部１２は、シャッタ１２ａが開かれた状態で硬貨が外部から投入可能となり、シャッタ１２ａが閉じられた状態では硬貨が外部から投入不可となるとともに内部の硬貨の外部への取り出しも不可となる。カルトン載置部１３には、カルトン１４が抜き差し可能に載置される。
【００３１】
貨幣処理装置１０は、側部に入金側搬送部１５を有している。入金側搬送部１５は、前後方向に延在しており、硬貨入金部１２から繰り出された硬貨を後方に向けて搬送する。
【００３２】
貨幣処理装置１０は、入金側搬送部１５の位置に、前から順に、識別部２０、放出案内部２１、カセット案内部２２、１円硬貨用の還流案内部２３、１００円硬貨用の還流案内部２４、１０円硬貨用の還流案内部２５、５０円硬貨用の還流案内部２６、５円硬貨用の還流案内部２７、５００円硬貨用の還流案内部２８およびスタッカ案内部２９を有している。識別部２０は、入金側搬送部１５で搬送中の硬貨の真偽および金種を識別しつつ計数する。放出案内部２１、カセット案内部２２、還流案内部２３〜２８およびスタッカ案内部２９は、入金側搬送部１５で搬送中の硬貨を、識別部２０の識別結果に基づいて入金側搬送部１５から分流させるように案内する。
【００３３】
貨幣処理装置１０は、硬貨入金部１２の後側に、前から順に、プールカセット３２（硬貨カセット）と、１円硬貨用の還流部３３（繰出収納部）と、１００円硬貨用の還流部３４（繰出収納部）と、１０円硬貨用の還流部３５（繰出収納部）と、５０円硬貨用の還流部３６（繰出収納部）と、５円硬貨用の還流部３７（繰出収納部）と、５００円硬貨用の還流部３８（繰出収納部）と、プールスタッカ３９と、を有している。
【００３４】
貨幣処理装置１０は、カルトン１４と、プールカセット３２と、これらを除く装置本体１１とからなっている。カルトン１４は、装置本体１１に対し抜き差し可能であり、プールカセット３２は装置本体１１に対し着脱可能となっている。
【００３５】
放出案内部２１は、入金側搬送部１５から、カルトン載置部１３に載置されたカルトン１４に硬貨を案内する。放出案内部２１は、例えば、識別部２０の識別結果から真硬貨と判定できなかった受け入れ不可なリジェクト硬貨を入金側搬送部１５からカルトン１４に案内する。
【００３６】
カセット案内部２２は、例えば、識別部２０で真硬貨と判定された受け入れ可能な硬貨を入金側搬送部１５からプールカセット３２に案内する。プールカセット３２は、上記したように装置本体１１に対し着脱可能であり、硬貨を金種混合で繰り出し可能に収納する。プールカセット３２は、収納している硬貨を一枚ずつ分離して計数しつつ繰り出す繰出部４２を有している。
【００３７】
１円硬貨用の還流案内部２３は、識別部２０で真硬貨と判定された受け入れ可能な硬貨のうち１円硬貨のみを入金側搬送部１５から１円硬貨用の還流部３３に案内する。１円硬貨用の還流部３３は、装置本体１１に着脱不可に組み込まれており、１円硬貨のみを収納する。１円硬貨用の還流部３３は、収納している硬貨を一枚ずつ分離して計数しつつ繰り出す繰出部４３を有している。
【００３８】
１００円硬貨用の還流案内部２４は、識別部２０で真硬貨と判定された受け入れ可能な硬貨のうち１００円硬貨のみを入金側搬送部１５から１００円硬貨用の還流部３４に案内する。１００円硬貨用の還流部３４は、装置本体１１に着脱不可に組み込まれており、１００円硬貨のみを収納する。１００円硬貨用の還流部３４は、収納している硬貨を一枚ずつ分離して計数しつつ繰り出す繰出部４４を有している。
【００３９】
１０円硬貨用の還流案内部２５は、識別部２０で真硬貨と判定された受け入れ可能な硬貨のうち１０円硬貨のみを入金側搬送部１５から１０円硬貨用の還流部３５に案内する。１０円硬貨用の還流部３５は、装置本体１１に着脱不可に組み込まれており、１０円硬貨のみを収納する。１０円硬貨用の還流部３５は、収納している硬貨を一枚ずつ分離して計数しつつ繰り出す繰出部４５を有している。
【００４０】
５０円硬貨用の還流案内部２６は、識別部２０で真硬貨と判定された受け入れ可能な硬貨のうち５０円硬貨のみを入金側搬送部１５から５０円硬貨用の還流部３６に案内する。５０円硬貨用の還流部３６は、装置本体１１に着脱不可に組み込まれており、５０円硬貨のみを収納する。５０円硬貨用の還流部３６は、収納している硬貨を一枚ずつ分離して計数しつつ繰り出す繰出部４６を有している。
【００４１】
５円硬貨用の還流案内部２７は、識別部２０で真硬貨と判定された受け入れ可能な硬貨のうち５円硬貨のみを入金側搬送部１５から５円硬貨用の還流部３７に案内する。５円硬貨用の還流部３７は、装置本体１１に着脱不可に組み込まれており、５円硬貨のみを収納する。５円硬貨用の還流部３７は、収納している硬貨を一枚ずつ分離して計数しつつ繰り出す繰出部４７を有している。
【００４２】
５００円硬貨用の還流案内部２８は、識別部２０で真硬貨と判定された受け入れ可能な硬貨のうち５００円硬貨のみを入金側搬送部１５から５００円硬貨用の還流部３８に案内する。５００円硬貨用の還流部３８は、装置本体１１に着脱不可に組み込まれており、５００円硬貨のみを収納する。５００円硬貨用の還流部３８は、収納している硬貨を一枚ずつ分離して計数しつつ繰り出す繰出部４８を有している。
【００４３】
スタッカ案内部２９は、識別部２０で真硬貨と判定された受け入れ可能な硬貨を入金側搬送部１５からプールスタッカ３９に案内する。プールスタッカ３９は、装置本体１１に着脱不可に組み込まれており、硬貨を金種混合で繰り出し可能に収納する。プールスタッカ３９は、収納している硬貨を一枚ずつ分離して計数しつつ繰り出す繰出部４９を有している。
【００４４】
いずれも硬貨を繰り出し可能に収納するプールカセット３２、１円硬貨用の還流部３３、１００円硬貨用の還流部３４、１０円硬貨用の還流部３５、５０円硬貨用の還流部３６、５円硬貨用の還流部３７、５００円硬貨用の還流部３８およびプールスタッカ３９のうち、プールカセット３２のみが装置本体１１に対し着脱可能となっている。そして、プールカセット３２は、硬貨の収納容量、言い換えれば満杯状態での硬貨量が、１円硬貨用の還流部３３、１００円硬貨用の還流部３４、１０円硬貨用の還流部３５、５０円硬貨用の還流部、５円硬貨用の還流部３７およびプールスタッカ３９のそれぞれの硬貨の収納容量よりも大きくなっており、これらそれぞれの４倍程度となっている。具体的に、プールカセット３２の収納容量は６００枚であり、１円硬貨用の還流部３３、１００円硬貨用の還流部３４、１０円硬貨用の還流部３５、５０円硬貨用の還流部３６、５円硬貨用の還流部３７およびプールスタッカ３９のそれぞれの収納容量は１５０枚となっている。５００円硬貨用の還流部３８は、還流部３３〜３７およびプールスタッカ３９のそれぞれと内部の容積は同等であるものの、収納対象が大径の５００円硬貨であることから、収納容量は還流部３３〜３７およびプールスタッカ３９のそれぞれよりも少なく、１１０枚となっている。硬貨入金部１２およびカルトン１４のそれぞれの収納容量も１５０枚となっている。
【００４５】
貨幣処理装置１０は、装置本体１１の入金側搬送部１５とは反対側の側部に出金側搬送部５５を有している。出金側搬送部５５は、前後方向に延在しており、繰出部４２〜４９から繰り出された硬貨を硬貨入金部１２に搬送する。
【００４６】
貨幣処理装置１０には、図３に示すように、内部ユニット部１２２の前端の上部に、プールカセット３２が設けられている。プールカセット３２は、下方に凹む凹形状の収納体２０１と、収納体２０１の上部開口２０２を図２および図３に示すように回動開閉する板状の開閉体２０３と、収納体２０１に回動可能に連結された取っ手２０４とを有している。開閉体２０３は、収納体２０１の上部開口２０２の後縁側を中心に回動してこの中心から前方に延出して上部開口２０２を閉じ、この中心から上方に延出して上部開口２０２を開く。取っ手２０４は、収納体２０１の前後方向の中間部を中心に、後方に倒れた状態と上方に立ち上がる状態との間で回動する。
【００４７】
プールカセット３２には、装置本体１１の図４に示すカセット案内部２２から硬貨を受け入れる図５に示す受入口２１０が収納体２０１の一側の上部に設けられており、図４に示す繰出部４２に硬貨を繰り出す図５に示す繰出口２１１が収納体２０１の他側の上部に設けられている。これにより、装置本体１１に対し着脱可能なプールカセット３２は、装置本体１１にセットされた状態で装置本体１１から硬貨を受け入れて収納するとともに、装置本体１１にセットされた状態で収納している硬貨を装置本体１１に繰り出し可能となる。収納体２０１は、繰出口２１１を開閉可能な繰出口ゲート２１２を有しており、繰出口ゲート２１２の開放時に繰出口２１１から硬貨の繰り出しが可能となる。
【００４８】
収納体２０１は、その底部を構成する横搬送部２１５と、横搬送部２１５から斜めに立ち上がって繰出口２１１に硬貨を搬送する縦搬送部２１６とを有するベルトコンベア２１７を備えている。ベルトコンベア２１７には図示略の桟が等間隔で設けられており、縦搬送部２１６での硬貨の一枚ずつ分離した状態での縦搬送が可能となっている。繰出口２１１の位置には、硬貨の繰り出しを検知して硬貨を計数する繰出検知センサ２２０が設けられている。
【００４９】
図６および図７に示すように、プールカセット３２は、開閉体２０３の回動中心とは反対側に開閉ロック部２３１を有している。開閉ロック部２３１は、開閉体２０３を閉状態で収納体２０１にロックするものであり、開閉体２０３の閉状態での下面に設けられている。開閉ロック部２３１は、図７に示すように、回転体２３２と、回転体付勢スプリング２３３と、一対のロック部材２３４，２３５とを有している。
【００５０】
回転体２３２は、円環板状の回転体本体２４１を有しており、回転体本体２４１は、開閉体２０３に平行に配置されて、開閉体２０３に回転可能に支持されている。回転体本体２４１には、図８および図９に示すように、回転体２３２の径方向に長い２カ所の長穴２４２，２４３が１８０°離れて２カ所形成されており、一方の長穴２４２の近傍にはスプリング係止部２４４が設けられている。回転体２３２は、回転体本体２４１の他方の長穴２４３の近傍から、図７に示すように開閉体２０３から離れる方向（閉状態での下方）に突出するロック解除ピン２４８を有している。回転体２３２は、開閉体２０３の回動中心側（開閉体２０３の閉時の後側）にスプリング係止部２４４が、開閉体２０３の回動中心とは反対側（開閉体２０３の閉時の前側）にロック解除ピン２４８が、それぞれ配置されている。
【００５１】
図８および図９に示すように、一方のロック部材２３４は、回転体２３２の左右方向一側（左側）で左右方向にスライドするように開閉体２０３に支持されており、一端側に設けられた係合ピン２５１で回転体２３２の長穴２４２に係合している。このロック部材２３４の他端側には、収納体２０１に形成された係合片部２５２に係合する係合爪２５３が形成されている。係合爪２５３には、その先端側の開閉体２０３とは反対側に図７に示す面取り２５４が形成されている。
【００５２】
図８および図９に示すように、他方のロック部材２３５は、回転体２３２の左右方向逆側（右側）で左右方向にスライドするように開閉体２０３に支持されており、一端側に設けられた係合ピン２６１で回転体２３２の長穴２４３に係合している。このロック部材２３５の他端側には、収納体２０１に形成された係合片部２６２に係合する係合爪２６３が形成されている。係合爪２６３には、その先端側の開閉体２０３とは反対側に図７に示す面取り２６４が形成されている。
【００５３】
図８および図９に示す回転体付勢スプリング２３３は、一端側が開閉体２０３に、他端側が回転体２３２のスプリング係止部２４４に係止されている。回転体付勢スプリング２３３は、回転体２３２のスプリング係止部２４４を引っ張ることになり、これにより、一対のロック部材２３４，２３５を左右両外側に位置するように付勢する。開閉ロック部２３１は、一対のロック部材２３４，２３５が、回転体付勢スプリング２３３の付勢力によって最も係合爪２５３，２６３を離間させた状態で、開閉体２０３が開状態から閉状態になると、一対の係合爪２５３，２６３が、図７に示す一対の面取り２５４，２６４において収納体２０１の図８に示す一対の係合片部２５２，２６２に当接し、一対の面取り２５４，２６４が受ける一対の係合片部２５２，２６２からの反力で、回転体付勢スプリング２３３の付勢力に抗して互いに近づきながら一対の係合片部２５２，２６２を越える。すると、一対の係合爪２５３，２６３が回転体付勢スプリング２３３の付勢力で互いに離間して、図８に示すように一対の係合片部２５２，２６２に係合する。これにより、開閉体２０３は、閉状態でロックされることになる。つまり、回転体付勢スプリング２３３は、一対のロック部材２３４，２３５を、両側の係合爪２５３，２６３で収納体２０１の両側の係合片部２５２，２６２に係合するように付勢する。このようにして、開閉ロック部２３１は、開閉体２０３を閉状態で収納体２０１にロックする。
【００５４】
このような閉ロック状態から、ロック解除ピン２４８が、左右方向のロック部材２３４側つまり左側に押圧されて、図９に示すように回動すると、回転体付勢スプリング２３３の付勢力に抗して回転体２３２が回転することになる。すると、一対のロック部材２３４，２３５が互いの係合爪２５３，２６３を近づけるように移動して、収納体２０１の係合片部２５２，２６２から離間してロックが解除される。これにより、開閉体２０３は、収納体２０１に対して回動可能となり、開作動可能となる。
【００５５】
プールカセット３２は、収納体２０１の前部つまり開閉体２０３の回動中心とは反対側に、図６に示す別体のキー部材２６８のキー操作で開閉ロック部２３１のロックを解除するキーロック解除機構２７１を有している。
【００５６】
キーロック解除機構２７１は、その支持部材２７２において収納体２０１に取り付けられており、支持部材２７２は収納体２０１に固定されている。キーロック解除機構２７１は、図１０〜図１５に示すように、支持部材２７２と、支持部材２７２に取り付けられるキーシリンダ２７３と、支持部材２７２に上下移動可能に支持されるスライダ２７４と、支持部材２７２に回動可能に支持されるロック解除部材２８３と、を有しており、図１１および図１４に示すように、スライダ２７４を付勢するスライダ付勢スプリング２７５と、キーシリンダ２７３に連結される舌片部材２８１と、舌片部材２８１を付勢する舌片部材付勢スプリング２８２と、を有している。
【００５７】
図１０〜図１５に示すように、支持部材２７２は、板材からなる支持部材本体２９１と、支持部材本体２９１から後方に突出する２つのスライド支持ピン２９２，２９３とを有している。２つのスライド支持ピン２９２，２９３は高さを合わせて左右に離間して配置されている。支持部材本体２９１には、下部の前部に開口部２９４が、下部の後部に図１１および図１４に示すスプリング係止部２９５およびスプリング係止部２９６が形成されている。
【００５８】
スライダ２７４は、支持部材本体２９１の後側に配置されており、上下方向に長い２カ所のスライド長穴３０１，３０２を有している。スライダ２７４は、一方のスライド長穴３０１に一方のスライド支持ピン２９２が挿入されており、他方のスライド長穴３０２に他方のスライド支持ピン２９３が挿入されている。これにより、スライダ２７４は、スライド長穴３０１，３０２がスライド支持ピン２９２，２９３に対し移動可能な範囲で、支持部材２７２に上下移動可能に支持されている。スライダ２７４には、２カ所のスライド長穴３０１，３０２の間にこれらよりも大きい挿入長穴３０３が形成されている。
【００５９】
また、スライダ２７４は、下部に前方に突出する図１０および図１３に示す突出片部３１１を有している。突出片部３１１は、支持部材２７２の開口部２９４の位置に配置されている。また、スライダ２７４は、一方のスライド長穴３０１と挿入長穴３０３との間に、後方に突出する図１１および図１４に示す入力ピン３１２を有しており、他方のスライド長穴３０２の挿入長穴３０３とは反対側に、前方に突出する図１０および図１３に示す出力ピン３１３を有している。さらに、スライダ２７４は、上部に図１１および図１４に示すスプリング係止部３１４を有している。このスプリング係止部３１４にスライダ付勢スプリング２７５の一端部が係止され、スライダ付勢スプリング２７５の他端部が支持部材２７２のスプリング係止部２９５に係止されている。スライダ付勢スプリング２７５はスライダ２７４を下向きに付勢する。
【００６０】
キーシリンダ２７３は、支持部材本体２９１に固定される図１０等に示す固定部材３４１と、前面に設けられたキー穴３４２に対応する別体の図６に示すキー部材２６８が差し込まれるとキー部材２６８と一体に回転可能となる図１０等に示す回転部３４３とを有している。キーシリンダ２７３は、支持部材本体２９１から後方に延出しており、スライダ２７４の挿入長穴３０３に挿入されている。舌片部材２８１は、回転部３４３に固定されており、回転部３４３から入力ピン３１２の方向に延出して、入力ピン３１２の下側に配置されている。これにより、キー穴３４２にキー部材２６８が差し込まれてキー部材２６８と一体に回転部３４３および舌片部材２８１が回転させられると、図１４に示すように、舌片部材２８１の延出先端側が上昇し、入力ピン３１２を持ち上げる。これにより、スライダ２７４が上昇する。舌片部材付勢スプリング２８２は一端部が支持部材２７２のスプリング係止部２９６に係止され、他端部が舌片部材２８１の先端側のスプリング係止部３４４に係止されて舌片部材２８１を下向きに付勢する。
【００６１】
ロック解除部材２８３は、図１０等に示すように、支持部材２７２のスライド支持ピン２９３に回動可能に支持されており、スライド支持ピン２９３から挿入長穴３０３とは反対側に延出する横アーム部３５１と、スライド支持ピン２９３から上方に延出する縦アーム部３５２とを有している。横アーム部３５１には、ロック解除部材２８３の回動中心であるスライド支持ピン２９３とは反対側の端部に横アーム部３５１の長さ方向に長い長穴３５３が形成されている。縦アーム部３５２には、スライド支持ピン２９３とは反対側の端部つまり上端部に後方に突出する押圧ピン３５４が設けられている。長穴３５３にはスライダ２７４の出力ピン３１３が挿入されている。
【００６２】
これにより、キー部材２６８がキーシリンダ２７３に差し込まれて時計回りに回転操作され、キー部材２６８と一体に回転部３４３および舌片部材２８１が舌片部材付勢スプリング２８２の付勢力に抗して回転して、図１３〜図１５に示すように、スライダ２７４を上昇させると、スライダ２７４の出力ピン３１３で横アーム部３５１が上方に押圧され、ロック解除部材２８３がスライド支持ピン２９３を中心に回動して、押圧ピン３５４を左右方向で長穴３５３とは反対方向つまり左方に移動させる。押圧ピン３５４のこの移動方向の前側に、閉状態にある開閉体２０３に設けられた開閉ロック部２３１のロック解除ピン２４８が、図１２および図１５に示すように配置されている。このため、図１２から図１５に示す左方に移動する押圧ピン３５４は、ロック解除ピン２４８を押圧して回転体２３２を回転させ、一対のロック部材２３４，２３５を、係合爪２５３，２６３を近づけるようにスライドさせて、図９に示すように収納体２０１の係合片部２５２，２６２から離間させる。キーロック解除機構２７１は、このようにして、別体のキー部材２６８のキー操作で開閉ロック部２３１のロックを解除する。
【００６３】
この状態から、キー部材２６８がキーシリンダ２７３からの引き抜きのため反時計回りに回転操作されると、これと一体に回転部３４３および舌片部材２８１が回転する。すると、スライダ２７４が自重およびスライダ付勢スプリング２７５の付勢力で入力ピン３１２を舌片部材２８１に当接させながら下降する。これにより、出力ピン３１３が下降して、ロック解除部材２８３を、その押圧ピン３５４を右方に移動させる。すると、回転体２３２が回転体付勢スプリング２３３の付勢力で、ロック解除ピン２４８をロック解除部材２８３の押圧ピン３５４に当接させながら回転し、一対のロック部材２３４，２３５を、係合爪２５３，２６３を離すようにスライドさせる。これにより、係合爪２５３，２６３が収納体２０１の係合片部２５２，２６２に係合可能な状態になる。
【００６４】
装置本体１１は、プールカセット３２が着脱可能にセットされる図１６および図１７に示すカセットハウジング３３１を有している。カセットハウジング３３１は、下方に凹む凹形状をなしており、その内側にその上部開口３３２からプールカセット３２の収納体２０１が挿入される。カセットハウジング３３１には、プールカセット３２が挿入されると、その収納体２０１で押圧されるカセットセット検知センサ３５５が底部に設けられている。また、カセットハウジング３３１には、前壁部３５６に、前後に貫通する貫通穴３５７が形成されている。さらに、カセットハウジング３３１には、前壁部３５６の上部に、プールカセット３２の開閉体２０３の開閉を検知する開閉検知センサ３５８が設けられている。
【００６５】
装置本体１１は、装置本体１１にセットされた状態のプールカセット３２の開閉ロック部２３１のロックを電動で解除する装置本体側ロック解除機構３６１を有している。装置本体側ロック解除機構３６１は、カセットハウジング３３１の前壁部３５６に設けられている。
【００６６】
装置本体側ロック解除機構３６１は、カセットハウジング３３１の前壁部３５６に取り付けられるベース部材３６２と、いずれもベース部材３６２に取り付けられたソレノイド３６３、支持軸３６４、作動部材３６５および作動検知センサ３６６を有している。
【００６７】
図１２および図１５に示すように、ソレノイド３６３は、ベース部材３６２に固定される本体部材３７１と、本体部材３７１に対してスライドするプランジャ３７２とを有している。プランジャ３７２は本体部材３７１から下方に突出している。ソレノイド３６３は、本体部材３７１に電気信号が入力されることでプランジャ３７２が本体部材３７１に対してスライドして引き上げられる。
【００６８】
支持軸３６４は、左右方向に沿う姿勢で、ベース部材３６２に支持されている。支持軸３６４は、プランジャ３７２と高さを合わせており、プランジャ３７２の前方に配置されている。
【００６９】
作動部材３６５は、支持軸３６４にこれを中心に回動するように支持されている。作動部材３６５は、支持軸３６４に平行に配置される中間板部３７５と、中間板部３７５の一端から後方に延出してプランジャ３７２に回動可能に連結される連結腕部３７６と、中間板部３７５の一端から上方に延出する検知片部３７７と、中間板部３７５の他端から後方に延出する作動腕部３７８と、を有している。連結腕部３７６および作動腕部３７８の中間板部３７５側が支持軸３６４に支持されている。作動腕部３７８は、図１６および図１７に示すようにカセットハウジング３３１の前壁部３５６に設けられた貫通穴３５７に挿入されている。
【００７０】
作動腕部３７８は、図１８および図１９に示すように、カセットハウジング３３１の内側まで延出しており、延出側の先端部が、図１７に示すようにカセットハウジング３３１にセットされたプールカセット３２の、図１２に示すキーロック解除機構２７１の開口部２９４に近接してその鉛直下方に配置される。この状態から、電気信号をソレノイド３６３に入力すると、プランジャ３７２が上昇し、作動部材３６５の連結腕部３７６を引き上げる。
【００７１】
すると、作動部材３６５が支持軸３６４を中心に連結腕部３７６および作動腕部３７８を上方に移動させるように回動することになり、その結果、図１５に示すように作動腕部３７８がキーロック解除機構２７１の開口部２９４に入り込んで上昇し、キーロック解除機構２７１のスライダ２７４の突出片部３１１に下側から当接して、スライダ２７４を図１４に示すスライダ付勢スプリング２７５の付勢力に抗して上昇させる。図１５に示すようにスライダ２７４が上昇すると、出力ピン３１３で横アーム部３５１が上方に押圧されてロック解除部材２８３がスライド支持ピン２９３を中心に回動して押圧ピン３５４を左方に移動させる。左方に移動する押圧ピン３５４は、開閉ロック部２３１のロック解除ピン２４８に当接し、これを押圧して、回転体２３２を回転体付勢スプリング２３３の付勢力に抗して回転させ、一対のロック部材２３４，２３５を、互いの係合爪２５３，２６３を近づけるようにスライドさせて、図９に示すように収納体２０１の係合片部２５２，２６２から離間させてロックを解除する。図１２，図１５〜図１９に示す装置本体側ロック解除機構３６１は、このようにして、装置本体１１にセットされた状態のプールカセット３２の開閉ロック部２３１のロックを電動で解除する。
【００７２】
この状態から、電気信号のソレノイド３６３への入力を停止させると、プランジャ３７２の上昇方向の駆動が解除され、作動部材３６５の作動腕部３７８によるスライダ２７４の上方の押圧を解除する。すると、スライダ２７４が自重およびスライダ付勢スプリング２７５の付勢力で下降する。このとき、プランジャ３７２の自重と作動部材３６５の連結腕部３７６および作動腕部３７８の自重とにより、作動部材３６５の作動腕部３７８も下がる。スライダ２７４の下降により、出力ピン３１３が下降して、ロック解除部材２８３を、その押圧ピン３５４を右方に移動させるように回動させる。すると、回転体２３２が回転体付勢スプリング２３３の付勢力で、ロック解除ピン２４８をロック解除部材２８３の押圧ピン３５４に当接させながら回転し、一対のロック部材２３４，２３５を、係合爪２５３，２６３を離すようにスライドさせる。これにより、係合爪２５３，２６３が収納体２０１の係合片部２５２，２６２に係合可能な状態になる。
【００７３】
作動検知センサ３６６は、作動部材３６５が開閉ロック部２３１のロックを解除するロック解除位置にあることを図１９に示すように検知片部３７７を検知することで検知し、作動部材３６５が開閉ロック部２３１のロックを解除しないロック位置にあることを図１８に示すように検知片部３７７を検知しないことで検知する。
【００７４】
カセットハウジング３３１は、図１６から図１７に示すようにプールカセット３２が挿入されると、その前壁部３５６が、プールカセット３２のキーシリンダ２７３を覆ってキー穴３４２へのキー部材２６８の挿入を規制する。これにより、キーロック解除機構２７１は、プールカセット３２が装置本体１１にセットされた状態では、キー部材２６８を使ってのキー操作が規制されるようになっている。
【００７５】
装置本体１１のカセットハウジング３３１は、カセットハウジング３３１にセットされた状態のプールカセット３２をセット状態でロックするとともに電動でロックが解除される図２０〜図２２に示すカセットロック機構４０１を有している。図２０に示すように、プールカセット３２の収納体２０１の側部には、ロック穴３９０が形成されており、カセットロック機構４０１は、このロック穴３９０にロック部材４０７が進入することでプールカセット３２をロックする一方、ロック部材４０７がロック穴３９０から退避することでプールカセット３２のロックを解除する。
【００７６】
図２１に示すように、カセットロック機構４０１は、カセットハウジング３３１の側面に取り付けられたベース部材４０２と、いずれもベース部材４０２に取り付けられたソレノイド４０３、支持軸４０４、作動部材４０５、支持軸４０６、ロック部材４０７および作動検知センサ４０８を有している。
【００７７】
ソレノイド４０３は、ベース部材４０２に固定される本体部材４１１と、本体部材４１１に対してスライドするプランジャ４１２とを有しており、本体部材４１１に電気信号が入力されることでプランジャ４１２が本体部材４１１に対して引き込み方向にスライドする。プランジャ４１２は本体部材４１１から前方に突出している。
【００７８】
支持軸４０４は、上下方向に沿う姿勢で、ベース部材４０２に支持されている。支持軸４０４は、プランジャ４１２と前後方向の位置を合わせており、プランジャ４１２とカセットハウジング３３１との間に配置されている。
【００７９】
作動部材４０５は、支持軸４０４にこれを中心に回動するように支持されている。作動部材４０５は、支持軸４０４に支持されるとともに前方に延出する作動胴部４１５と、作動胴部４１５の支持軸４０４側からプランジャ４１２の方向に延出してプランジャ４１２に連結される連結腕部４１６と、作動胴部４１５の支持軸４０４側から上方に延出するスプリング係止腕部４１７と、作動胴部４１５の中間位置からカセットハウジング３３１とは反対側に突出する検知片部４１８と、を有している。
【００８０】
支持軸４０６は、前後方向に沿う状態でベース部材４０２に支持されており、ロック部材４０７は、この支持軸４０６にこの支持軸４０６を中心に回動するように支持されている。ロック部材４０７の下部には、上方に凹む係合凹部４２２が形成されている。作動部材４０５は、作動胴部４１５が、支持軸４０４とは反対の先端凸部４２５でロック部材４０７の係合凹部４２２に係合している。作動部材４０５のスプリング係止腕部４１７には、作動部材付勢スプリング４３１の一端部が係止されており、作動部材付勢スプリング４３１の他端部は、ベース部材４０２のスプリング係止部４３２に係止されている。作動部材４０５は、作動部材付勢スプリング４３１の付勢力によって先端凸部４２５を最もカセットハウジング３３１に近づけており、先端凸部４２５に係合凹部４２２で係合するロック部材４０７をカセットハウジング３３１内に突出させている。
【００８１】
この状態で、プールカセット３２がカセットハウジング３３１に挿入されると、プールカセット３２がロック部材４０７に当接してこれを押圧する。すると、ロック部材４０７は、作動部材付勢スプリング４３１の付勢力に抗して作動部材４０５を支持軸４０４を中心に回転させながら、支持軸４０６を中心に回転して、カセットハウジング３３１内から退避方向に移動する。プールカセット３２がカセットハウジング３３１の所定のセット位置まで挿入されると、プールカセット３２のロック穴３９０の位置がロック部材４０７と合うことになり、ロック部材４０７は、作動部材付勢スプリング４３１の付勢力で作動部材４０５を支持軸４０４を中心に回転させながら、支持軸４０６を中心に回転して、ロック穴３９０に入り込む。これにより、プールカセット３２が、カセットハウジング３３１つまり装置本体１１にロックされる。つまり、カセットロック機構４０１が、装置本体１１にセットされた状態のプールカセット３２をセット状態でロックする。
【００８２】
このロック状態から、電気信号をソレノイド４０３に入力すると、プランジャ４１２が後方に移動し、作動部材４０５の連結腕部４１６を後方に移動させる。すると、作動部材４０５が支持軸４０４を中心に作動胴部４１５の先端凸部４２５をカセットハウジング３３１から離すように回動することになり、その結果、先端凸部４２５に係合凹部４２２で係合するロック部材４０７がロック穴３９０から退避する。これにより、プールカセット３２のカセットハウジング３３１つまり装置本体１１へのロックが解除される。カセットロック機構４０１は、装置本体１１にセットされた状態のプールカセット３２のロックがこのように電動で解除される。
【００８３】
この状態から、電気信号のソレノイド４０３への入力を停止させると、プランジャ４１２の後方への駆動が解除され、作動部材４０５が、作動部材付勢スプリング４３１の付勢力によって、支持軸４０４を中心に先端凸部４２５を最もカセットハウジング３３１に近づける方向に回転し、先端凸部４２５に係合凹部４２２で係合するロック部材４０７をカセットハウジング３３１内に突出させる。
【００８４】
作動検知センサ４０８は、作動部材４０５およびロック部材４０７がプールカセット３２のロックを解除するロック解除位置にあることを、図２２に示すように検知片部４１８を検知することで検知し、作動部材４０５およびロック部材４０７がプールカセット３２のロックを解除しないロック位置にあることを検知片部４１８を検知しないことで検知する。
【００８５】
制御部６１は、操作表示部６２への操作入力に基づいて、貨幣処理装置１０を第１の動作モードと、第２の動作モードとに切り替えて動作させることが可能となっている。
【００８６】
［第１の動作モード］
第１の動作モードでは、制御部６１は、プールスタッカ３９を、入金処理時に硬貨入金部１２に投入され識別部２０で識別された硬貨を金種混合で繰り出し可能に一時貯留する一時貯留部とし、プールスタッカ３９よりも収納容量が大のプールカセット３２を、収納処理時にプールスタッカ３９から繰り出された硬貨のうち、各還流部３３〜３８でオーバーフローするオーバーフロー硬貨を金種混合で繰り出し可能に収納する一括収納部とする。つまり、第１の動作モードでは、プールカセット３２が、還流部３３でオーバーフローする１円のオーバーフロー硬貨、還流部３４でオーバーフローする１００円のオーバーフロー硬貨、還流部３５でオーバーフローする１０円のオーバーフロー硬貨、還流部３６でオーバーフローする５０円のオーバーフロー硬貨、還流部３７でオーバーフローする５円のオーバーフロー硬貨および還流部３８でオーバーフローする５００円のオーバーフロー硬貨を、金種混合で繰り出し可能に収納する。収納処理時に、収納しようとしている硬貨の枚数が、その収納先の還流部の収納容量から現在の硬貨量を減算した収納許容量を超えていると、収納許容量を超えた分の硬貨がオーバーフロー硬貨となる。
【００８７】
以下、いずれも第１の動作モードで実行される、第１の入金処理、第１の返却処理、第１の収納処理、第１のカセット補充処理、第１のダイレクト補充処理、第１の入金部補充処理、第１の出金処理、第１の自己精査処理、第１のカセット収集処理、第１のカルトン収集処理、第１の整理計数処理、第１の分配回収処理および第１の分配処理について説明する。
【００８８】
「第１の入金処理」
第１の動作モードでは、プールスタッカ３９が、入金処理時に硬貨入金部１２に投入され識別部２０で識別された硬貨を金種混合で繰り出し可能に一時貯留する一時貯留部として使用されるため、第１の入金処理開始時点で、プールスタッカ３９は空の状態にあり、第１の入金処理で一度に処理する入金枚数は、プールスタッカ３９の収納容量である１５０枚以下に限定されている。
【００８９】
制御部６１は、第１の入金処理を開始すると、まず、硬貨入金部１２のシャッタ１２ａを開き、この硬貨入金部１２に硬貨が投入されたことを図示略のセンサで検出すると、硬貨入金部１２のシャッタ１２ａを閉じ、硬貨入金部１２から硬貨を繰り出させる。そして、硬貨入金部１２から繰り出された硬貨を入金側搬送部１５で搬送し識別部２０で識別および計数する。そして、識別部２０で受け入れ可能と識別された真硬貨を、図２３に太実線で示すように入金側搬送部１５およびスタッカ案内部２９でプールスタッカ３９へ搬送しプールスタッカ３９に一時貯留する。その一方で、識別部２０で受け入れ不可と識別されたリジェクト硬貨を、図２３に太破線で示すように、放出案内部２１でカルトン１４に搬送する。このとき、汚損硬貨および旧５００円硬貨も真硬貨としてプールスタッカ３９へ搬送する。また、識別部２０で受け入れ可能と識別された真硬貨のうち、プールスタッカ３９の収納容量（１５０枚）を超える硬貨は、放出案内部２１でカルトン１４に搬送する。硬貨入金部１２および入金側搬送部１５に硬貨がなくなると、識別部２０で受け入れ可能と識別された真硬貨の合計金額および金種別の枚数等を操作表示部６２に表示させて、操作表示部６２への確定指示操作、返却指示操作を待機する状態となって、第１の入金処理を終了する。このように、第１の収納処理では、プールスタッカ３９が、硬貨入金部１２に投入され識別部２０で識別された硬貨を金種混合で繰り出し可能に一時貯留する一時貯留部となる。
【００９０】
「第１の返却処理」
第１の入金処理の終了後、操作表示部６２へ返却指示操作が入力されると、制御部６１は、第１の返却処理を開始する。つまり、図２４に太実線で示すように、プールスタッカ３９の硬貨を、繰出部４９で繰り出し、シャッタ１２ａが閉じられた状態の硬貨入金部１２に出金側搬送部５５で搬送し、硬貨入金部１２から繰り出して入金側搬送部１５で搬送し、放出案内部２１でカルトン１４に搬送する。そして、プールスタッカ３９、出金側搬送部５５、硬貨入金部１２および入金側搬送部１５に硬貨がなくなると、第１の返却処理を終了する。このようにプールスタッカ３９内の硬貨をカルトン１４に全て搬送して、操作者に取り出させる。
【００９１】
「第１の収納処理」
第１の入金処理の終了後、操作表示部６２へ確定指示操作が入力されると、制御部６１は、第１の収納処理を開始する。つまり、図２５に太実線で示すように、プールスタッカ３９の硬貨を、繰出部４９で繰り出し、シャッタ１２ａが閉じられた状態の硬貨入金部１２に出金側搬送部５５で搬送し、硬貨入金部１２から繰り出して入金側搬送部１５で搬送して識別部２０で識別する。そして、この識別部２０の識別結果に基づいて、各金種の硬貨を還流案内部２３〜２８の対応する金種のもので、還流部３３〜３８の対応する金種のものに収納する。すなわち、１円硬貨を１円硬貨用の還流案内部２３で１円硬貨用の還流部３３に、１００円硬貨を１００円硬貨用の還流案内部２４で１００円硬貨用の還流部３４に、１０円硬貨を１０円硬貨用の還流案内部２５で１０円硬貨用の還流部３５に、５０円硬貨を５０円硬貨用の還流案内部２６で５０円硬貨用の還流部３６に、５円硬貨を５円硬貨用の還流案内部２７で５円硬貨用の還流部３７に、５００円硬貨を５００円硬貨用の還流案内部２８で５００円硬貨用の還流部３８に、それぞれ収納する。言い換えれば、金種別の還流部３３〜３８は、一時貯留部としてのプールスタッカ３９から繰り出された硬貨を繰り出し可能に収納する金種別の繰出収納部となる。なお、識別部２０の識別結果に基づいて、各還流部３３〜３８のオーバーフロー硬貨、汚損硬貨および旧５００円硬貨は、図２５に太破線で示すように、カセット案内部２２でプールカセット３２に収納する。そして、プールスタッカ３９、出金側搬送部５５、硬貨入金部１２および入金側搬送部１５に硬貨がなくなると、第１の収納処理を終了する。このように、第１の収納処理では、プールカセット３２が各還流部３３〜３８でオーバーフローするオーバーフロー硬貨を金種混合で繰り出し可能に収納する一括収納部となる。
【００９２】
なお、第１の収納処理の緊急時対応として、プールカセット３２をもオーバーフローするオーバーフロー硬貨が生じた場合、このようなオーバーフロー硬貨については、放出案内部２１でカルトン１４に搬送することも可能である。この場合、カルトン１４の収納容量毎に区切って硬貨の搬送を行うことになる。具体的には、カルトン１４の収納容量が１５０枚であるため、カルトン１４へオーバーフロー硬貨を１５０枚搬送すると、搬送を一旦停止させ、図示略のセンサでカルトン載置部１３に対するカルトン１４の抜き取りを検知後、カルトン１４の再セットを検知すると、次の１５０枚までのオーバーフロー硬貨をカルトン１４へ搬送するという処理を必要回数繰り返す。
【００９３】
あるいは、プールカセット３２をもオーバーフローするオーバーフロー硬貨が生じる前に、プールカセット３２の収納量が所定の回収基準枚数に達した時点で、一旦処理を停止して、操作者に対してプールカセット３２の交換を促す報知を行い、プールカセット３２の交換を検知後に処理を再開するようにしても良い。
【００９４】
「第１のカセット補充処理」
第１のカセット補充処理は、貨幣処理装置１０の外部で予めプールカセット３２に収納された硬貨を、金種別の還流部３３〜３８に補充する処理である。第１のカセット補充処理は、硬貨が全く収納されていない貨幣処理装置１０に、業務開始前に、金種毎に予め定められた枚数の硬貨を一括して装填するために実施される処理である。よって、第１のカセット補充処理は、貨幣処理装置１０のプールカセット３２以外に硬貨がある場合に動作不可となる。硬貨の有無判断は、直前までの履歴データ（前日の全回収の有無による）に基づく。なお、第１のカセット補充処理は、プールカセット３２を用いた補充（装填）のため、操作者が現金に直接触れることがなく、特別な権限を要しない操作者が行うことができる処理となっている。
【００９５】
硬貨が空の状態の貨幣処理装置１０に対する運用前の第１のカセット補充処理に際し、例えば各金種５０枚ずつの硬貨（全体で６金種３００枚となる）が装填されたプールカセット３２を装置本体１１にセットする。そして、第１のカセット補充処理を行うことで、還流部３３〜３８のそれぞれに５０枚ずつの硬貨が収納されることになって入出金取引を開始することが可能となる。勿論、プールカセット３２への装填枚数は各金種５０枚ずつに限らない。
【００９６】
第１のカセット補充処理を開始すると、制御部６１は、図２６に太実線で示すように、プールカセット３２の硬貨を、繰出部４２で繰り出し、シャッタ１２ａが閉じられた状態の硬貨入金部１２に出金側搬送部５５で搬送し、硬貨入金部１２から繰り出して入金側搬送部１５で搬送し、識別部２０の識別結果に基づいて、各金種の硬貨を還流案内部２３〜２８の対応する金種のもので、還流部３３〜３８の対応する金種のものに収納する。言い換えれば、金種別の還流部３３〜３８は、一括収納庫としてのプールカセット３２から繰り出された硬貨を金種別に繰り出し可能に収納する。なお、識別部２０の識別および計数結果に基づいて、各還流部３３〜３８でオーバーフローするオーバーフロー硬貨は、図２６に太破線で示すように、スタッカ案内部２９でプールスタッカ３９に収納する。そして、プールカセット３２、出金側搬送部５５、硬貨入金部１２および入金側搬送部１５に硬貨がなくなると、第１のカセット補充処理を終了する。
【００９７】
第１のカセット補充処理後にプールスタッカ３９に硬貨があると、制御部６１は、プールスタッカ３９内の硬貨をすべて、繰出部４９で繰り出し、シャッタ１２ａが閉じられた状態の硬貨入金部１２に出金側搬送部５５で搬送し、硬貨入金部１２から繰り出して入金側搬送部１５で搬送し、カセット案内部２２でプールカセット３２へ収納する。
【００９８】
なお、設定によるが、第１のカセット補充処理は操作者に現金を触らせないことも目的としているので、識別部２０の識別結果に基づいて、真硬貨と識別されなかったリジェクト硬貨と、真硬貨と識別された汚損硬貨および旧５００円硬貨とは、オーバーフロー硬貨と同様、一旦プールスタッカ３９へ搬送し、プールカセット３２からの第１のカセット補充処理の終了後に、プールスタッカ３９の硬貨をプールカセット３２へ搬送する。その際に、制御部６１は、リジェクト硬貨については枚数を把握し、汚損硬貨および旧５００円硬貨については金種別の枚数を把握する。但し、識別部２０の識別結果からリジェクト硬貨と判定された硬貨については、放出案内部２１でカルトン１４に搬送しても良い。また、汚損硬貨および旧５００円硬貨についても、同様にカルトン１４に搬送しても良い。
【００９９】
ここで、第１のカセット補充処理において、硬貨が充填されたプールカセット３２の装置本体１１へのセットのため、操作表示部６２に所定の操作が入力されると、制御部６１は、音声出力部１４７で警報を発生させて、操作表示部６２に貨幣処理ユニット１１２の引き出しを促す表示を表示させる。操作表示部６２に所定の引き出し操作が入力されると、移動機構１５３が電動で貨幣処理ユニット１１２を筐体１１１から引き出す。このとき、制御部６１は、移動機構１５３により、貨幣処理ユニット１１２をプールカセット３２の装置本体１１からの取り出しおよびセットが可能な所定の引き出し位置まで移動させる。貨幣処理ユニット１１２を所定の引き出し位置まで移動させて停止させると、制御部６１は、カセットロック機構４０１のソレノイド４０３に電気信号を出力して、ソレノイド４０３を電気的に駆動する。すると、上記したように、ソレノイド４０３が作動部材４０５を回動させて、その先端凸部４２５で、これに係合凹部４２２で係合するロック部材４０７をロック穴３９０から退避させて、プールカセット３２の装置本体１１に対するロックを解除する。これにより、プールカセット３２が装置本体１１から取り出し可能となる。ソレノイド４０３に電気信号を出力後、制御部６１は、操作表示部６２にプールカセット３２の取り出しを促す表示を表示させる。
【０１００】
操作者が、取っ手２０４を持って、装置本体１１にセットされている空のプールカセット３２を引き上げると、カセットセット検知センサ３５５がプールカセット３２の取り外しを検知することになる。すると、制御部６１は、ソレノイド４０３への電気信号を停止して、ソレノイド４０３の電気的に駆動を解除するとともに、操作表示部６２にプールカセット３２のセットを促す表示を表示させる。ソレノイド４０３の駆動解除で、ロック部材４０７がカセットハウジング３３１内に突出する状態になる。この状態で、硬貨が充填された状態のプールカセット３２がセットされる。プールカセット３２がセットされると、ロック部材４０７がロック穴３９０に係合してプールカセット３２を装置本体１１にロックする。
【０１０１】
プールカセット３２が装置本体１１にセットされたことをカセットセット検知センサ３５５が検知すると、制御部６１は、操作表示部６２に貨幣処理ユニット１１２の押し込みを促す表示を表示させる。操作表示部６２に所定の押し込み操作が入力されると、移動機構１５３が電動で貨幣処理ユニット１１２を筐体１１１に押し込む。貨幣処理ユニット１１２が筐体１１１に押し込まれると、制御部６１は、移動機構１５３を停止させるとともに、音声出力部１４７の警報を停止させる。
【０１０２】
ここで、プールカセット３２に硬貨を装填する場合、操作者は、キー部材２６８をキーロック解除機構２７１のキーシリンダ２７３に差し込んで回転させる。すると、キー部材２６８と一体に回転部３４３および舌片部材２８１が回転して、スライダ２７４を上昇させ、ロック解除部材２８３および回転体２３２を回転させて、一対のロック部材２３４，２３５の係合爪２５３，２６３を近づけて係合爪２５３，２６３を係合片部２５２，２６２から離してロックを解除する。これにより、開閉体２０３が開放可能となる。操作者は、手動で開閉体２０３を開いて、収納体２０１に硬貨を装填する。その後、開閉体２０３を閉じ、その後、キー部材２６８をキーシリンダ２７３からの引き抜きのため回転させると、ロック部材２３４，２３５の係合爪２５３，２６３が係合片部２５２，２６２に係合して開閉体２０３をロックする。開閉体２０３を閉じる前に、キー部材２６８をキーシリンダ２７３からの引き抜きのため回転させておくと、ロック部材２３４，２３５の係合爪２５３，２６３が離れており、その後、開閉体２０３が閉じられると係合片部２５２，２６２に係合して開閉体２０３をロックする。
【０１０３】
「第１のダイレクト補充処理」
第１のダイレクト補充処理は、硬貨入金部１２に硬貨を投入して還流部３３〜３８に硬貨を補充する。これにより、カセットの着脱作業等が不要となる。なお、第１のダイレクト補充処理は、主に銀行業務開始前に活用する処理である。第１のダイレクト補充処理は、現金を操作者が直接取り扱うため、所定の権限を有するものを認識した場合のみ実行可能となる設定にできる。第１のダイレクト補充処理は、そもそも現金を操作者が直接取り扱えるため、リジェクト硬貨、汚損硬貨および旧５００円硬貨をカルトン１４に回収するようにでき、業務開始前に、これらの硬貨を貨幣処理装置１０内に保管しなくて済む。すなわち、当初装填した硬貨をすべて、その後の出金業務に使用することができる。
【０１０４】
制御部６１は、第１のダイレクト補充処理を開始すると、まず、硬貨入金部１２のシャッタ１２ａを開き、この硬貨入金部１２に硬貨が投入されたことを図示略のセンサで検出すると、硬貨入金部１２から硬貨を繰り出させる。そして、図２７に太実線で示すように、硬貨入金部１２から繰り出した硬貨を入金側搬送部１５で搬送し、識別部２０の識別結果に基づいて、各金種の硬貨を還流案内部２３〜２８の対応する金種のもので、還流部３３〜３８の対応する金種のものに収納する。なお、識別部２０の識別および計数結果に基づいて、各還流部３３〜３８でオーバーフローするオーバーフロー硬貨は、図２７に太破線で示すように、カセット案内部２２でプールカセット３２に収納する。そして、硬貨入金部１２および入金側搬送部１５に硬貨がなくなると、第１のダイレクト補充処理を終了する。なお、識別部２０の識別結果に基づいて、受け入れ不可と識別されたリジェクト硬貨、汚損硬貨および旧５００円硬貨は、放出案内部２１でカルトン１４に搬送する。なお、汚損硬貨および旧５００円硬貨は、オーバーフロー硬貨と同様、カセット案内部２２でプールカセット３２に収納しても良い。
【０１０５】
「第１の入金部補充処理」
第１の入金部補充処理は、貨幣処理装置１０に、業務時間内に一部金種の硬貨がニアエンド状態を含む不足状態になったとき（ニアエンド枚数以下になったとき、または、追加補充推奨枚数以下になったとき）など、当該不足状態となった金種の硬貨を補充装填するために、実施される処理である。第１の入金部補充処理には、二つの方式がある。一つは、硬貨入金部１２に投入された硬貨をすべて還流部３３〜３８の対応する金種のものに補充する方式である。この方式は、操作性は良いが、本来補充すべき金種硬貨が補充されない可能性が残る。もう一つは、補充する金種別の枚数を操作表示部６２に入力の上で、硬貨入金部１２に投入された硬貨を、入力値との一致を確認しながら補充する。操作性は多少煩雑であり、入力値と補充値とが一致する必要性はあるが、本来補充すべき金種硬貨でない場合は、データ入力時点で警告させることができる。警告時には、補充すべき金種硬貨を再確認、準備の上、データ入力をやり直す。この場合、所定の権限を有するものを認識した場合のみ実行可能となる設定にできる。
【０１０６】
第１の入金部補充処理は、図２３に示す第１の入金処理と、図２４に示す第１の返却処理または図２５に示す第１の収納処理とを行う。第１の入金処理と第１の収納処理とを行うと、硬貨入金部１２の硬貨を還流部３３〜３８の対応する金種のものに収納する。または、図２７に示すように、第１のダイレクト補充処理と同様の処理を行って、硬貨入金部１２の硬貨を還流部３３〜３８の対応する金種のものに収納する。
【０１０７】
「第１の出金処理」
第１の出金処理は、出金データに基づいて、図２８に太実線で示すように、金種別に設けられた還流部３３〜３８の対応する金種のものから、繰出部４３〜４８の対応する金種のものによって、硬貨を、計数しつつ出金側搬送部５５に繰り出し、シャッタ１２ａが閉じられた状態の硬貨入金部１２に出金側搬送部５５で搬送し、硬貨入金部１２から繰り出して入金側搬送部１５で搬送し、識別部２０で識別および計数しつつ放出案内部２１でカルトン１４へ放出する。還流部３３〜３８の対応する金種のものから出金データのすべての硬貨が繰り出された後、出金側搬送部５５、硬貨入金部１２および入金側搬送部１５に硬貨がなくなると、第１の出金処理を終了する。ここで、識別部２０の識別および計数結果から、リジェクト硬貨が検出されると、この硬貨は、図２８に太破線で示すように、入金側搬送部１５およびスタッカ案内部２９でプールスタッカ３９へ搬送する。識別部２０において識別されてカルトン１４に振り分けられた硬貨が、金種別の出金予定枚数に達していない硬貨があれば、リジェクト硬貨が当該硬貨であるとして、当該金種の硬貨を還流部３３〜３８の対応する金種のものからさらに追加で繰り出して、金種別の出金予定枚数に達するように制御する。出金完了時、ブザー等の報知を確認して、操作者は、カルトン１４の硬貨を顧客に出金する。なお、第１の出金処理では、識別部２０で汚損硬貨と判定された硬貨であってもカルトン１４へ搬送してそのまま出金する。
【０１０８】
第１の出金処理の完了、報知と並行して、プールスタッカ３９に硬貨がある場合には、操作者の顧客への出金作業中の待機時間を利用して、プールスタッカ３９より硬貨を繰出部４９で繰り出して、出金側搬送部５５、シャッタ１２ａが閉状態の硬貨入金部１２および入金側搬送部１５で搬送し、再度、識別部２０で識別させる。その結果、真硬貨と識別され金種が識別された硬貨は、還流部３３〜３８の対応する金種のものに収納する。ここでも、またリジェクト硬貨と判定された場合は、同様の処理を繰り返すことになる。但し、リジェクト硬貨の累積枚数には上限枚数（例えば、１０枚）が設定されており、上限枚数を超えた場合は、処理を中断しエラー状態となって報知を行う。これにより、操作者に確認を行わせることになる。または、この場合のリジェクト硬貨は、一度は識別されて還流部３３〜３８の対応する金種のもの収納された硬貨であるため、その金種は予想可能であり、予想された金種の硬貨として、プールカセット３２に収納させても良い。
【０１０９】
「第１の自己精査処理」
第１の自己精査処理は、図２９に太実線で示すように、還流部３３〜３８のうちの精査対象のものから一旦すべての硬貨を繰り出して硬貨入金部１２に貯留し、その後、硬貨入金部１２から識別部２０で識別および計数しつつ、識別結果に基づいて、還流案内部２３〜２８の対応する金種のもので還流部３３〜３８の対応金種のものに収納させる。第１の自己精査処理では、還流部３３〜３８を所定の順番で精査する。ここでは、小径硬貨の還流部から順に、すなわち、１円硬貨用の還流部３３、５０円硬貨用の還流部３６、５円硬貨用の還流部３７、１００円硬貨用の還流部３４、１０円硬貨用の還流部３５、５００円硬貨用の還流部３８の順番で精査する。なお、この順は、必須ではなく、金額の小さい順（または大きい順）でも構わない。還流部３３〜３８の配置の位置で、前方から、あるいは後方から順に行う等でも良い。
【０１１０】
第１の自己精査処理を開始すると、制御部６１は、１円硬貨用の還流部３３の硬貨を繰出部４３で計数しつつ全て繰り出して還流部３３を空にする。これと並行して、還流部３３から繰り出された硬貨を全て、シャッタ１２ａが閉じられた状態の硬貨入金部１２に出金側搬送部５５で搬送する。次に、制御部６１は、硬貨入金部１２から硬貨を繰り出し入金側搬送部１５で搬送して識別部２０で識別および計数する。識別部２０の識別結果から、１円硬貨は還流案内部２３で還流部３３に収納する。識別部２０にて、異なる金種の硬貨であると識別された硬貨は、還流案内部２４〜２８の対応するもので、還流部３４〜３８の対応する金種のものに収納する。硬貨入金部１２の収納容量は、還流部３３の収納容量と等しいので、還流部３３の硬貨をすべて硬貨入金部１２で受け、還流部３３が空になってから、硬貨入金部１２の硬貨を還流部３３に向けて送り出すことができる。なお、識別部２０でリジェクト硬貨と判定された硬貨は、図２９に太破線で示すように、スタッカ案内部２９で、空であるプールスタッカ３９へ搬送した後、プールスタッカ３９から繰出部４９で再び繰り出して、出金側搬送部５５、シャッタ１２ａが閉状態の硬貨入金部１２および入金側搬送部１５で搬送して識別部２０で再度識別させる。ここでも、またリジェクト硬貨と判定された場合は、同様の処理を繰り返すことになる。但し、リジェクト硬貨の累積枚数には上限枚数（例えば、１０枚）が設定されており、上限枚数を超えた場合は、処理を中断しエラー状態となって報知を行う。リジェクト硬貨の処理は、全金種終了後にまとめて行っても良い。また、識別部２０で、汚損硬貨または旧５００円硬貨と識別された硬貨は、カセット案内部２２でプールカセット３２に収納する。
【０１１１】
硬貨入金部１２より繰り出された全ての硬貨が還流部３３に搬送された場合（即ち、エラーなしの場合）、制御部６１は、次の５０円硬貨用の還流部３６について同様に精査処理を行い、同様にして、５円硬貨用の還流部３７、１００円硬貨用の還流部３４、１０円硬貨用の還流部３５、５００円硬貨用の還流部３８の順に精査処理を行う。
【０１１２】
５００円硬貨用の還流部３８までの精査処理が終わると、制御部６１はプールカセット３２内の硬貨（オーバーフロー硬貨、汚損硬貨、旧５００円硬貨）を繰出部４２によって計数しつつ全て繰り出す。プールカセット３２から繰出部４２によって繰り出された硬貨を出金側搬送部５５で搬送し、硬貨入金部１２に一時貯留する。このとき、プールカセット３２内の硬貨量が硬貨入金部１２内の収納容量以下であれば、硬貨を硬貨入金部１２に一時貯留することで、プールカセット３２内の硬貨を空にすることができる。この場合、プールカセット３２内の硬貨を空にした後、硬貨入金部１２の硬貨を入金側搬送部１５で搬送し識別部２０で識別および計数して精査しながらプールカセット３２に収納する。これにより、プールカセット３２を精査する。
【０１１３】
ここで、プールスタッカ３９が空（リジェクト硬貨がなし）であれば、プールカセット３２の硬貨を硬貨入金部１２およびプールスタッカ３９に搬送してプールカセット３２を空にすることができる。つまり、第１の自己精査処理時に、プールスタッカ３９が空の状態で、プールカセット３２に入っているオーバーフロー硬貨の精査を開始する場合、プールカセット３２に入っているオーバーフロー硬貨の枚数が、硬貨入金部１２の収納容量とプールスタッカ３９の収納容量とを合わせた枚数までであれば精査が可能となる。ここでは、硬貨入金部１２の収納容量が１５０枚であり、プールスタッカ３９の収納容量が１５０枚であるため、プールカセット３２に入っているオーバーフロー硬貨の枚数が最大３００枚までであれば、最初の１５０枚の硬貨を、プールカセット３２から繰出部４２で計数しつつ繰り出し、出金側搬送部５５、シャッタ１２ａが閉状態の硬貨入金部１２および入金側搬送部１５で搬送して識別部２０で識別および計数しながらスタッカ案内部２９でプールスタッカ３９に案内する。次に、残りの１５０枚までの硬貨を、プールカセット３２から繰出部４２で計数しつつ繰り出し、出金側搬送部５５で硬貨入金部１２に搬送し、硬貨入金部１２に留めておく。このようにして、プールカセット３２を空にしてから、硬貨入金部１２の硬貨を入金側搬送部１５で搬送し識別部２０で識別および計数して精査しながらカセット案内部２２でプールカセット３２に収納し、その後、プールスタッカ３９の硬貨を出金側搬送部５５、シャッタ１２ａが閉状態の硬貨入金部１２および入金側搬送部１５で搬送して識別部２０で識別および計数して精査しながらカセット案内部２２でプールカセット３２に収納することで、最大３００枚の硬貨を精査できる。
【０１１４】
以上のようにして、プールカセット３２の精査処理が終わると、制御部６１は、操作表示部６２上に今回の自己精査処理の結果（金種毎の硬貨枚数、合計金額、収納場所の表示など）と、精査前の機内有り高とを表示し、これらに差異があれば、機内有り高を今回の結果に合わせるか否かを、操作表示部６２への操作入力で操作者に選択させて、第１の自己精査処理を終了する。
【０１１５】
「第１のカセット収集処理」
プールカセット３２による全回収の動作処理である。カセット収集処理は、基本的には、プールカセット３２が空になっている状態で行う。第１のカセット収集処理を行うにあたって、プールカセット３２に硬貨が収納されている場合、制御部６１は、例えば、空のプールカセット３２への交換を促し、プールカセット３２が空であることを確認してから第１のカセット収集処理を行う。なお、プールカセット３２内の硬貨が精査済みであることを条件として、回収金をプールカセット３２に元から入っている硬貨と合算して行う処理も可能である。
【０１１６】
第１のカセット収集処理では、図３０に太実線で示すように、還流部３３〜３８から繰出部４３〜４８で硬貨を同時に繰り出し、出金側搬送部５５、シャッタ１２ａが閉状態の硬貨入金部１２および入金側搬送部１５で搬送して識別部２０で識別および計数して、リジェクト硬貨以外の真硬貨（汚損硬貨および旧５００円硬貨を含む）をカセット案内部２２でプールカセット３２へ収納する。なお、汚損硬貨および旧５００円硬貨を識別したときは、これらを入金側搬送部１５およびスタッカ案内部２９で一旦プールスタッカ３９に収納し、還流部３３〜３８の硬貨が空になった後、プールスタッカ３９に収納してある汚損硬貨および旧５００円硬貨について、別メニューの混合スタッカ収集により回収しても良い。また、還流部３３〜３８から繰出部４３〜４８で硬貨を同時に繰り出すのではなく、還流部３３〜３８の一つですべての硬貨を繰り出したら、次の一つですべての硬貨を繰り出すという処理を順に行うようにしても良い。
【０１１７】
他方、識別部２０でリジェクト硬貨と判定された硬貨については、図３０に太破線で示すように、入金側搬送部１５およびスタッカ案内部２９でプールスタッカ３９へ搬送した後、プールスタッカ３９から再び繰出部４９で繰り出して、出金側搬送部５５、シャッタ１２ａが閉状態の硬貨入金部１２および入金側搬送部１５で搬送して識別部２０で再度、識別させる。ここでも、またリジェクト硬貨と判定された硬貨は、同様の処理を繰り返すことになる。但し、リジェクト硬貨の累積枚数には上限枚数（例えば、１０枚）が設定されており、上限枚数を超えた場合は、処理を中断しエラー状態となって報知を行う。
【０１１８】
エラーの発生がなく処理が進み、プールカセット３２に還流部３３〜３８の硬貨がすべて収納されると、制御部６１は、第１のカセット収集処理を終了する。
【０１１９】
エラーの発生がなく処理が進み、プールカセット３２の収納容量を超えた枚数、つまり６０１枚以上となった硬貨は、還流部３３〜３９（プールスタッカ３９を含む）へ戻される。または、それぞれの還流部３３〜３９からの繰り出しに際して計数される繰り出し枚数から、合計６０１枚以上の硬貨を還流部３３〜３９から繰り出さないように制御しても良い。
【０１２０】
第１のカセット収集処理中に、６００枚の硬貨が収納されたプールカセット３２は、その識別番号が識別部２０において識別された金種別の枚数データとともに制御部６１に記憶されて管理される。プールカセット３２に収納した金種別の枚数データ等をプールカセット３２に設けたＩＣタグ等の記憶手段に読み出し可能に記憶させても良い。併せて、制御部６１は、６００枚収納されたプールカセット３２を、空のプールカセット３２と交換するように操作表示部６２に報知する。
【０１２１】
操作者が６００枚収納されたプールカセット３２を機外へ取り出し、硬貨を抜き取って空の状態として装置本体１１に再セットし、あるいは空の予備のプールカセット３２を装置本体１１にセットすると、これを検知して、制御部６１は、第１のカセット収集処理を再開し、６０１枚目以降の硬貨について、同様に処理を行う。つまり、第１のカセット収集処理において、貨幣処理装置１０内の全硬貨を一度で回収できることもあれば、空のプールカセット３２を用意して、二回、三回と、複数回で回収することもある。第１のカセット収集処理では、操作者は現金に触れないため、所定の権限の認識を要しない。
【０１２２】
ここで、第１のカセット収集処理において、制御部６１は、プールカセット３２の外部への取り出しが必要になると、音声出力部１４７で警報を発生させて、操作表示部６２に貨幣処理ユニット１１２の引き出しを促す表示を表示させる。操作表示部６２に所定の引き出し操作が入力されると、第１のカセット補充処理と同様に、移動機構１５３により電動で貨幣処理ユニット１１２を筐体１１１から所定の引き出し位置まで引き出して停止させる。そして、制御部６１は、第１のカセット補充処理と同様に、カセットロック機構４０１のソレノイド４０３に電気信号を出力して、ソレノイド４０３を電気的に駆動する。すると、ロック部材４０７がロック穴３９０から退避して、プールカセット３２の装置本体１１へのロックを解除する。これにより、プールカセット３２が装置本体１１から取り出し可能となる。ソレノイド４０３に電気信号を出力後、制御部６１は、操作表示部６２にプールカセット３２の取り出しを促す表示を表示させる。
【０１２３】
操作者が、取っ手２０４を持ってプールカセット３２を引き上げると、カセットセット検知センサ３５５がプールカセット３２の取り外しを検知することになる。すると、制御部６１は、第１のカセット補充処理と同様に、ソレノイド４０３への電気信号を停止して、ソレノイド４０３の電気的に駆動を解除するとともに、操作表示部６２にプールカセット３２のセットを促す表示を表示させる。ソレノイド４０３の駆動解除で、ロック部材４０７がカセットハウジング３３１内に突出する状態になる。この状態で、プールカセット３２がセットされると、ロック部材４０７がロック穴３９０に係合してプールカセット３２を装置本体１１にロックする。
【０１２４】
プールカセット３２が装置本体１１にセットされたことをカセットセット検知センサ３５５が検知すると、制御部６１は、操作表示部６２に貨幣処理ユニット１１２の押し込みを促す表示を表示させる。操作表示部６２に所定の押し込み操作が入力されると、移動機構１５３が電動で貨幣処理ユニット１１２を筐体１１１に押し込む。貨幣処理ユニット１１２が筐体１１１に押し込まれると、制御部６１は、移動機構１５３を停止させるとともに、音声出力部１４７の警報を停止させる。
【０１２５】
このように装置本体１１にセットされた空のプールカセット３２を用いたカセット収集動作の継続が必要なときには、これが再開され、以下同様にして、プールカセット３２の取り出しが必要になれば、同様の動作が繰り返されることになる。
【０１２６】
装置本体１１から取り外されたプールカセット３２から硬貨を取り出す場合、操作者は、キー部材２６８をキーロック解除機構２７１のキーシリンダ２７３に差し込んで回転させる。すると、第１のカセット補充処理で説明した硬貨の装填時と同様に、キー部材２６８と一体に回転部３４３および舌片部材２８１が回転して、スライダ２７４を上昇させ、ロック解除部材２８３および回転体２３２を回転させて、一対のロック部材２３４，２３５の係合爪２５３，２６３を係合片部２５２，２６２から離してロックを解除する。これにより、開閉体２０３が開放可能となる。操作者は、手動で開閉体２０３を開いて、収納体２０１から硬貨を取り出す。開閉体２０３を閉じた後、キー部材２６８をキーシリンダ２７３からの引き抜きのため回転させる、あるいは開閉体２０３を閉じる前に、キー部材２６８をキーシリンダ２７３からの引き抜きのため回転させておくと、ロック部材２３４，２３５の係合爪２５３，２６３が係合片部２５２，２６２に係合して開閉体２０３をロックする。
【０１２７】
「第１のカルトン収集処理」
第１のカルトン収集処理は、カルトン１４による回収動作であり、全回収の他、金額指定での一部回収も可能となっている。操作者が金額指定（金種および枚数）の一部回収か、全回収かを操作表示部６２に入力すると、制御部６１は、図３１に太実線で示すように、還流部３３〜３８およびプールカセット３２から、指定分の硬貨を繰り出す。この場合も、還流部３３〜３８およびプールカセット３２の指定されたものから繰出部４２〜４８の対応するもので硬貨を同時に繰り出し、出金側搬送部５５、シャッタ１２ａが閉状態の硬貨入金部１２および入金側搬送部１５で搬送して識別部２０で識別および計数して、リジェクト硬貨以外の真硬貨（汚損硬貨および旧５００円硬貨を含む）を放出案内部２１でカルトン１４に放出する。なお、還流部３３〜３８およびプールカセット３２の指定されたものから繰出部４２〜４８の対応するもので硬貨を同時に繰り出すのではなく、還流部３３〜３８およびプールカセット３２の一つで指定分の硬貨を繰り出したら、次の一つで指定分の硬貨を繰り出すという処理を順に行うようにしても良い。
【０１２８】
他方、識別部２０でリジェクト硬貨と判定された硬貨は、カセット案内部２２でプールカセット３２へ搬送した後、プールカセット３２から再び繰出部４２で繰り出して、出金側搬送部５５、シャッタ１２ａが閉状態の硬貨入金部１２および入金側搬送部１５で搬送して識別部２０で再度、識別させる（リジェクト硬貨と判定された硬貨の繰り出しは処理の最後に行わせても良い。）。ここでも、またリジェクト硬貨と判定された硬貨は、同様の処理を繰り返すことになる。但し、リジェクト硬貨の累積枚数には上限枚数（例えば、１０枚）が設定されており、上限枚数を超えた場合は、処理を中断しエラー状態となって報知を行う。
【０１２９】
第１のカルトン収集処理では、カルトン１４の収納容量毎に区切って硬貨の搬送を行うことになる。具体的には、カルトン１４の収納容量が１５０枚であるため、カルトン１４へ硬貨を１５０枚搬送すると、搬送を一旦停止させ、図示略のセンサでカルトン載置部１３に対するカルトン１４の抜き取りを検知後、カルトン１４の再セットを検知すると、次の１５０枚までの硬貨をカルトン１４へ搬送するという処理を必要回数繰り返す。この第１のカルトン収集処理では、汚損硬貨および旧５００円硬貨も真硬貨と同様にカルトン１４に搬送する。第１のカルトン収集処理は、現金を操作者が直接取り扱うため、所定の権限を有するものを認識した場合のみ実行可能となる設定にできる。
【０１３０】
「第１の整理計数処理」
第１の整理計数処理は、入出金取引には関わらない処理であり、手持ちの現金がいくらあるかを確認したい場合などに使用され、計数のみを行う処理である。
【０１３１】
制御部６１は、第１の整理計数処理を開始すると、まず、硬貨入金部１２のシャッタ１２ａを開き、この硬貨入金部１２に硬貨が投入されたことを図示略のセンサで検出すると、硬貨入金部１２から硬貨を繰り出させる。そして、図３２に太実線で示すように、硬貨入金部１２から繰り出した硬貨を入金側搬送部１５で搬送し、識別部２０の識別結果に基づいて、真硬貨を、スタッカ案内部２９でプールスタッカ３９へ搬送する。また、識別部２０の識別結果に基づいて、リジェクト硬貨を、図３２に太破線で示すように放出案内部２１でカルトン１４へ搬送する。なお、一度に計数できる枚数はプールスタッカ３９の収納容量の枚数であり、収納容量の枚数を超える枚数の硬貨は受け付けない。つまり、プールスタッカ３９の収納容量が１５０枚であるため、一度に計数できる枚数は１５０枚までであり、１５０枚を超える硬貨は、受け付けない。硬貨入金部１２および入金側搬送部１５に硬貨がなくなると、制御部６１は、識別部２０の識別結果に基づく、合計金額および金種別の枚数等を操作表示部６２へ表示させる。リジェクト硬貨があった場合は、次の返却操作前に、カルトン１４のリジェクト硬貨を回収させる。図示略のセンサでカルトン載置部１３に対するカルトン１４の抜き取りを検知後、カルトン１４の再セットを検知すると、返却操作が可能となり、この状態で、操作表示部６２に返却操作が入力されると、制御部６１は、プールスタッカ３９から繰出部４９で硬貨を繰り出し、出金側搬送部５５、シャッタ１２ａが閉状態の硬貨入金部１２および入金側搬送部１５で搬送して放出案内部２１でカルトン１４に放出する。その後、プールスタッカ３９、出金側搬送部５５、硬貨入金部１２および入金側搬送部１５に硬貨がなくなると、第１の整理計数処理を終了する。
【０１３２】
「第１の分配回収処理」
第１の分配回収処理は、プールカセット３２に収納されている硬貨のうち、出金に利用できる硬貨すなわち還流部３３〜３８からのオーバーフロー硬貨を還流部３３〜３８へ分配すると同時に、出金に利用できない硬貨すなわち汚損硬貨および旧５００円硬貨を機外へ放出させる処理である。
【０１３３】
第１の分配回収処理では、図３３に太実線で示すように、プールカセット３２内の硬貨を繰出部４２で繰り出し、出金側搬送部５５、シャッタ１２ａが閉状態の硬貨入金部１２および入金側搬送部１５で搬送して識別部２０で識別後、その結果に基づいて、還流案内部２３〜２８の対応するもので還流部３３〜３８に振り分けて収納する。還流部３３〜３８に入り切らないオーバーフロー硬貨と汚損硬貨と旧５００円硬貨は、図３３に太破線で示すように、放出案内部２１でカルトン１４に搬送する（カルトン１４への振り分けは上記したように１５０枚毎に行う）。この場合、識別部２０でリジェクト硬貨と判定された硬貨は、カセット案内部２２でプールカセット３２へ搬送した後、プールカセット３２から繰出部４２で再び繰り出して、出金側搬送部５５、シャッタ１２ａが閉状態の硬貨入金部１２および入金側搬送部１５で搬送して識別部２０で再度識別させる。ここでも、またリジェクト硬貨と判定された場合は、同様の処理を繰り返すことになる。但し、リジェクト硬貨の累積枚数には上限枚数（例えば、１０枚）が設定されており、上限枚数を超えた場合は、処理を中断しエラー状態となって報知を行う。第１の分配回収処理は、現金を操作者が直接取り扱うため、所定の権限を有するものを認識した場合のみ実行可能となる設定にできる。
【０１３４】
「第１の分配処理」
第１の分配処理は、プールカセット３２に収納されている硬貨のうち、出金に利用できる硬貨すなわち還流部３３〜３８からのオーバーフロー硬貨を還流部３３〜３８へ分配すると同時に、出金に利用できない硬貨すなわち汚損硬貨および旧５００円硬貨をプールカセット３２へ戻す処理である。
【０１３５】
第１の分配処理では、図３４に太実線で示すように、プールカセット３２内の硬貨を繰出部４２で繰り出し、出金側搬送部５５、シャッタ１２ａが閉状態の硬貨入金部１２および入金側搬送部１５で搬送して識別部２０で識別後、その結果に基づいて、還流案内部２３〜２８の対応するもので還流部３３〜３８に振り分けて収納する。識別部２０でリジェクト硬貨と判定された硬貨は、図３４に太破線で示すように、スタッカ案内部２９でプールスタッカ３９へ搬送した後、プールスタッカ３９から繰出部４９で再び繰り出して、出金側搬送部５５、シャッタ１２ａが閉状態の硬貨入金部１２および入金側搬送部１５で搬送して識別部２０で再度識別させる。ここでも、またリジェクト硬貨と判定された場合は、同様の処理を繰り返すことになる。但し、リジェクト硬貨の累積枚数には上限枚数（例えば、１０枚）が設定されており、上限枚数を超えた場合は、処理を中断しエラー状態となって報知を行う。リジェクト硬貨と判定された硬貨は、一連の処理後に、プールスタッカ３９からプールカセット３２に戻す。還流部３３〜３８に入り切らないオーバーフロー硬貨と汚損硬貨と旧５００円硬貨とについても、スタッカ案内部２９でプールスタッカ３９へ搬送し、プールスタッカ３９に一時貯留させた後、第１の分配処理の最後に、プールスタッカ３９から繰出部４９で繰り出し、出金側搬送部５５、シャッタ１２ａが閉状態の硬貨入金部１２および入金側搬送部１５で搬送して、カセット案内部２２でプールカセット３２へ戻す。第１の分配処理では、操作者は現金に触れないため、所定の権限の認識を要しない。
【０１３６】
［第２の動作モード］
第２の動作モードでは、制御部６１は、プールカセット３２を、入金処理時に硬貨入金部１２に投入され識別部２０で識別された硬貨を金種混合で繰り出し可能に一時貯留する一時貯留部とし、プールカセット３２よりも容量小のプールスタッカ３９を、収納処理時にプールカセット３２から繰り出された硬貨のうち、各還流部３３〜３８でオーバーフローするオーバーフロー硬貨を金種混合で繰り出し可能に収納する一括収納部とする。つまり、第２の動作モードでは、プールスタッカ３９が、還流部３３でオーバーフローするオーバーフロー硬貨、還流部３４でオーバーフローするオーバーフロー硬貨、還流部３５でオーバーフローするオーバーフロー硬貨、還流部３６でオーバーフローするオーバーフロー硬貨、還流部３７でオーバーフローするオーバーフロー硬貨および還流部３８でオーバーフローするオーバーフロー硬貨を金種混合で繰り出し可能に収納する。
【０１３７】
以下、いずれも第２の動作モードで実行される、第２の入金処理、第２の返却処理、第２の収納処理、第２のカセット補充処理、第２のダイレクト補充処理、第２の入金部補充処理、第２の出金処理、第２の自己精査処理、第２のカセット収集処理、第２のカルトン収集処理、第２の整理計数処理、第２の分配回収処理および第２の分配処理について説明する。
【０１３８】
「第２の入金処理」
第２の動作モードでは、プールカセット３２が、入金処理時に硬貨入金部１２に投入され識別部２０で識別された硬貨を金種混合で繰り出し可能に一時貯留する一時貯留部として使用されるため、第２の入金処理開始時点で、プールカセット３２は空の状態にある。第２の入金処理で一度に処理する入金枚数は、プールカセット３２の硬貨収納容量であり、ここでは６００枚以下に限定されている。
【０１３９】
制御部６１は、第２の入金処理を開始すると、まず、硬貨入金部１２のシャッタ１２ａを開き、この硬貨入金部１２に硬貨が投入されたことを図示略のセンサで検出すると、硬貨入金部１２のシャッタ１２ａを閉じ、硬貨入金部１２から硬貨を繰り出させる。そして、硬貨入金部１２から繰り出された硬貨を入金側搬送部１５で搬送し識別部２０で識別および計数する。そして、識別部２０で受け入れ可能と識別された真硬貨を、図３５に太実線で示すように、カセット案内部２２でプールカセット３２へ搬送してプールカセット３２に一時貯留する。つまり、第２の入金処理は、一時貯留部として、第１の入金部補充処理のプールスタッカ３９ではなく、プールカセット３２を用いる。その一方で、識別部２０で受け入れ不可と識別されたリジェクト硬貨を図３５に太破線で示すように、放出案内部２１でカルトン１４に搬送する。このとき、汚損硬貨や旧５００円硬貨も真硬貨としてプールカセット３２へ搬送する。硬貨入金部１２および入金側搬送部１５に硬貨がなくなると、硬貨入金部１２のシャッタ１２ａを開き、追加投入の有無を照会する。
【０１４０】
硬貨が硬貨入金部１２に追加投入されたことを図示略のセンサで検出すると、制御部６１は、上記と同様、硬貨入金部１２のシャッタ１２ａを閉じ、硬貨入金部１２で繰り出した硬貨を入金側搬送部１５で搬送し識別部２０で識別および計数する。そして、真硬貨をプールカセット３２に一時貯留する一方で、リジェクト硬貨をカルトン１４に搬送する。硬貨入金部１２および入金側搬送部１５に硬貨がなくなると、硬貨入金部１２のシャッタ１２ａを開き、追加投入の有無を照会する。複数回の追加投入が行われることで、真硬貨がプールカセット３２の収納容量（６００枚）に達すると、それより後の真硬貨は放出案内部２１でカルトン１４に搬送する。追加投入の有無の照会中に、操作表示部６２に入金終了の操作が入力されると、制御部６１は、識別部２０で受け入れ可能と識別された真硬貨の合計金額および金種別の枚数等を操作表示部６２に表示させて、操作表示部６２への確定指示操作、返却指示操作を待機する状態となって、第２の入金処理を終了する。このように、第２の収納処理では、プールカセット３２が、硬貨入金部１２に投入され識別部２０で識別された硬貨を金種混合で繰り出し可能に一時貯留する一時貯留部となる。よって、第２の収納処理は、第１の収納処理と比べて、大量（約４倍の量）の硬貨の入金処理が一度に実施可能となる。
【０１４１】
「第２の返却処理」
第２の入金処理の終了後、操作表示部６２へ返却指示操作が入力されると、制御部６１は、第２の返却処理を開始する。第２の返却処理は、プールカセット３２の硬貨枚数に応じて行う。プールカセット３２の硬貨枚数がカルトン１４で収容可能な枚数以内である場合、つまり１５０枚以内である場合、硬貨入金部１２のシャッタ１２ａを閉じた後、図３６に太実線で示すように、プールカセット３２の硬貨を、繰出部４２で繰り出し、シャッタ１２ａが閉じられた状態の硬貨入金部１２に出金側搬送部５５で搬送し、硬貨入金部１２から繰り出して入金側搬送部１５で搬送し、放出案内部２１でカルトン１４に搬送する。そして、プールカセット３２、出金側搬送部５５、硬貨入金部１２および入金側搬送部１５に硬貨がなくなると、第２の返却処理を終了する。このようにプールカセット３２内の硬貨をカルトン１４に全て搬送して、操作者に取り出させる。なお、このとき予測される返却時間を操作表示部６２に表示させても良い。
【０１４２】
第２の返却処理において、プールカセット３２の硬貨枚数がカルトン１４で収容可能な枚数を超える場合、つまり１５０枚を超える場合、カルトン１４への分割返却か、プールカセット３２の抜き取りによる返却かのいずれかの方法を操作表示部６２への選択操作で判断し、カルトン１４への分割返却が選択された場合、カルトン１４の収納容量毎に区切って硬貨の搬送を行うことになる。つまり、カルトン１４の収納容量が１５０枚であるため、硬貨入金部１２のシャッタ１２ａを閉じた後、プールカセット３２の硬貨を１５０枚分だけ繰出部４２で計数しつつ繰り出し、シャッタ１２ａが閉じられた状態の硬貨入金部１２に出金側搬送部５５で搬送し、硬貨入金部１２から繰り出して入金側搬送部１５で搬送し、放出案内部２１でカルトン１４に搬送すると、搬送を一旦停止させ、図示略のセンサでカルトン載置部１３に対するカルトン１４の抜き取りを検知後、カルトン１４の再セットを検知すると、プールカセット３２から次の１５０枚までの硬貨をカルトン１４へ搬送するという処理を必要回数繰り返す。プールカセット３２、出金側搬送部５５、硬貨入金部１２および入金側搬送部１５に硬貨がなくなると、第２の返却処理を終了する。
【０１４３】
他方、プールカセット３２の抜き取りによる返却が選択された場合、操作者に対してプールカセット３２の交換を促す報知を行う。プールカセット３２の交換を検知すると、第２の返却処理を終了する。
【０１４４】
なお、カルトン１４への分割返却か、プールカセット３２の抜き取りによる返却かの選択操作を行わせる際に、カルトン１４への分割返却を選択した場合に予測される返却時間を操作表示部６２に表示させても良い。すなわち、プールカセット３２に硬貨が例えば６００枚収納されている場合に、繰り出し搬送による返却を行うと、カルトン１４への放出枚数に１５０枚の制限があることから、単純に、６００枚の繰り出し搬送時間に加えて、カルトン１４の抜き差し時間を必要とする。よって、収納枚数から予測される返却時間を、カルトン１４への分割返却か、プールカセット３２の抜き取りによる返却かの選択操作を行わせるかの判断材料として操作表示部６２に表示させる。
【０１４５】
「第２の収納処理」
第２の入金処理の終了後、操作表示部６２へ確定指示操作が入力されると、制御部６１は、第２の収納処理を開始する。つまり、図３７に太実線で示すように、プールカセット３２の硬貨を繰出部４２で繰り出し、シャッタ１２ａが閉じられた状態の硬貨入金部１２に出金側搬送部５５で搬送し、硬貨入金部１２から繰り出して入金側搬送部１５で搬送し、識別部２０の識別結果に基づいて、各金種の硬貨を還流案内部２３〜２８の対応する金種のもので、還流部３３〜３８の対応する金種のものに収納する。なお、識別部２０の識別結果に基づいて、各還流部３３〜３８でオーバーフローするオーバーフロー硬貨、汚損硬貨および旧５００円硬貨は、図３７に太破線で示すように、スタッカ案内部２９でプールスタッカ３９に収納する。そして、プールカセット３２、出金側搬送部５５、硬貨入金部１２および入金側搬送部１５に硬貨がなくなると、第２の収納処理を終了する。このように、第２の収納処理では、プールスタッカ３９が各還流部３３〜３８でオーバーフローするオーバーフロー硬貨を金種混合で繰り出し可能に収納する一括収納部となる。
【０１４６】
なお、第２の収納処理では、プールスタッカ３９の収納容量をも超えるオーバーフロー硬貨が生じると、処理を中断し、このようなオーバーフロー硬貨を、放出案内部２１でカルトン１４に搬送するか、プールカセット３２に残してプールカセット３２の交換で対応するかを操作表示部６２に選択入力させる。なお、予め選択設定された内容に従うようにしても良い。カルトン１４に搬送する場合は、現金を操作者が直接取り扱うため、所定の権限を有するものを認識した場合のみ実行可能となる設定にできる。
【０１４７】
カルトン１４への搬送が選択されると、カルトン１４の収納容量毎に区切って硬貨の搬送を行うことになる。ここでは、カルトン１４の収納容量が１５０枚であるため、カルトン１４へオーバーフロー硬貨を１５０枚搬送すると、搬送を一旦停止させ、図示略のセンサでカルトン載置部１３に対するカルトン１４の抜き取りを検知後、カルトン１４の再セットを検知すると、次の１５０枚までのオーバーフロー硬貨をカルトン１４へ搬送するという処理を必要回数繰り返す。そして、プールカセット３２、出金側搬送部５５、硬貨入金部１２および入金側搬送部１５に硬貨がなくなると、第２の収納処理を終了する。他方、プールカセット３２の交換での対応が選択された場合、プールカセット３２の交換を検知すると、第２の収納処理を終了する。
【０１４８】
第２の収納処理においては、操作表示部６２へ確定指示操作が入力された時点での、各還流部３３〜３８とプールスタッカ３９の収納済み枚数データと、プールカセット３２の金種別入金枚数データから、引き続いて収納動作を行ったときに、プールスタッカ３９の収納枚数が予測できる。このため、還流部３３〜３８およびプールスタッカ３９だけでの収集に留まらないことが予測されたときには、各還流部３３〜３８への収納動作を優先させるべきか、プールカセット３２の交換を行うかを操作表示部６２への操作で選択させても良い。プールカセット３２の交換が選択された場合であっても、さらに、プールスタッカ３９に収納済みの硬貨量が所定値以上のときは、プールスタッカ３９の硬貨の一部をプールカセット３２に回収の上でプールカセット３２を交換させるかを選択入力させるか、あるいは制御部６１が自動的に判断する。
【０１４９】
ここで、プールカセット３２に入金硬貨を一時的に受け入れて、収納または返却動作する、上記の第２の返却処理および第２の収納処理において、受け入れた真硬貨には、汚損硬貨が含まれる。汚損硬貨は、真硬貨ではあるが、多少の歪みがあったり、曲がりなどが生じている変形硬貨の可能性がある。このような変形硬貨は、プールカセット３２から繰り出しできずに、プールカセット３２内に滞ってしまう可能性がある。その場合、プールカセット３２内の一時貯留硬貨を、入金承認されたものであるときは、手持ち現金として回収できるように、また、一時貯留硬貨を返却指示したときのものであるときは、顧客に返却すべき硬貨として回収できるように、プールカセット３２から手作業で取り出させる必要がある。
【０１５０】
このため、制御部６１は、プールカセット３２から硬貨を繰り出す際に、プールカセット３２内の図示略の残留検知センサで全硬貨の繰り出しを検出する前に所定時間が経過すると、プールカセット３２の繰り出し異常があったと判定して、次のように制御する。
【０１５１】
制御部６１は、音声出力部１４７で警報を発生させて、操作表示部６２に貨幣処理ユニット１１２の引き出しを促す表示を表示させる。操作表示部６２に所定の引き出し操作が入力されると、移動機構１５３が電動で貨幣処理ユニット１１２を筐体１１１から引き出す。このとき、制御部６１は、移動機構１５３により、貨幣処理ユニット１１２をプールカセット３２の開閉体２０３が開放可能な所定の引き出し位置まで移動させる。なお、このときの引き出し量は、プールカセット３２の装置本体１１からの取り出し時と同じであっても良いし、異ならせても良い。貨幣処理ユニット１１２を所定の引き出し位置まで移動させて停止させると、装置本体側ロック解除機構３６１のソレノイド３６３に電気信号を出力して、ソレノイド３６３を電気的に駆動する。
【０１５２】
すると、上記したようにソレノイド３６３が作動部材３６５を回動させて、その作動腕部３７８でキーロック解除機構２７１のスライダ２７４を上昇させ、ロック解除部材２８３および回転体２３２を回転させて、一対のロック部材２３４，２３５の係合爪２５３，２６３を近づけて係合爪２５３，２６３を係合片部２５２，２６２から離してロックを解除する。これにより、開閉体２０３が開放可能となる。ソレノイド３６３に電気信号を出力後、制御部６１は、操作表示部６２に内部の硬貨の取り出しを促す表示を表示させる。
【０１５３】
操作者が開閉体２０３を手動で開くと、開閉検知センサ３５８が開閉体２０３の開放を検知することになる。すると、制御部６１は、ソレノイド３６３への電気信号を停止して、ソレノイド３６３の電気的に駆動を解除するとともに、操作表示部６２に内部の硬貨の取り出しを促す表示を表示させる。ソレノイド３６３の駆動解除で、開閉ロック部２３１は、一対のロック部材２３４，２３５が係合爪２５３，２６３を離す。操作者は、開閉体２０３を開いた状態で、収納体２０１内の硬貨を取り出し、開閉体２０３を閉じる。すると、ロック部材２３４，２３５の係合爪２５３，２６３が係合片部２５２，２６２に係合して開閉体２０３をロックする。
【０１５４】
開閉検知センサ３５８が開閉体２０３の閉塞を検知すると、制御部６１は、操作表示部６２に貨幣処理ユニット１１２の押し込みを促す表示を表示させる。操作表示部６２に所定の押し込み操作が入力されると、移動機構１５３が電動で貨幣処理ユニット１１２を筐体１１１に押し込む。貨幣処理ユニット１１２が筐体１１１に押し込まれると、制御部６１は、移動機構１５３を停止させるとともに、音声出力部１４７の警報を停止させる。制御部６１は、図示略の残留検知センサでプールカセット３２内の硬貨の有無を検知し、プールカセット３２内に硬貨があったときには、再度、音声出力部１４７で警報を発生させて、操作表示部６２に貨幣処理ユニット１１２の引き出しを促す表示を表示させて、以後、上記と同様に制御する。
【０１５５】
「第２のカセット補充処理」
第２のカセット補充処理は、第１のカセット補充処理と基本的に同じである。つまり、第２のカセット補充処理では、図２６に太実線で示すように、プールカセット３２の硬貨を、繰出部４２で繰り出し、出金側搬送部５５、硬貨入金部１２および入金側搬送部１５で搬送し、識別部２０の識別結果に基づいて、還流部３３〜３８の対応する金種のものに収納する。そして、図２６に太破線で示すように、各還流部３３〜３８でオーバーフローするオーバーフロー硬貨、汚損硬貨および旧５００円硬貨は、金種別の枚数を把握してプールスタッカ３９に収納し、リジェクト硬貨は枚数を把握してプールスタッカ３９に収納する。なお、第２の動作モードでは、第２のカセット補充処理後も、プールスタッカ３９の硬貨はそのままプールスタッカ３９に保管する点が第１の動作モードとは異なる。第１の動作モードおよび第２の動作モードの両方で、プールカセット３２を、カセット補充処理時に金種別の還流部３３〜３８に補充する硬貨が装置外で装填される一括収納カセットとして使用する。
【０１５６】
ここで、第２のカセット補充処理において、硬貨が充填されたプールカセット３２の装置本体１１へのセットの際には、制御部６１は、第１のカセット補充処理と同様の処理を行う。
【０１５７】
「第２のダイレクト補充処理」
第２のダイレクト補充処理では、図３８に太実線で示すように、第１のダイレクト補充処理と同様、硬貨入金部１２に投入された硬貨を入金側搬送部１５で搬送し、識別部２０の識別結果に基づいて、真硬貨を還流部３３〜３８の対応する金種のものに収納する。その一方で、各還流部３３〜３８でオーバーフローするオーバーフロー硬貨は、図３８に太破線で示すように、スタッカ案内部２９でプールスタッカ３９へ収納する点が第１のダイレクト補充処理とは異なる。また、第２のダイレクト補充処理では、プールスタッカ３９は、第２のダイレクト補充処理後も、硬貨を収納したままの状態を維持する点が第１のダイレクト補充処理とは異なる。それら以外は、第１のダイレクト補充処理と基本的に同じである。なお、汚損硬貨および旧５００円硬貨については、オーバーフロー硬貨と同様、スタッカ案内部２９でプールスタッカ３９へ収納しても良い。オーバーフロー硬貨も、そもそも当該金種の硬貨を多く入れすぎたことになるので、カルトン１４へ排出しても良い。
【０１５８】
「第２の入金部補充処理」
第２の入金部補充処理は、図３５に示す第１の入金処理と、図３６に示す第２の返却処理または図３７に示す第２の収納処理とを行う。第２の入金処理と第２の収納処理とを行うと、硬貨入金部１２の硬貨を還流部３３〜３８の対応する金種のものに収納する。または、図３８に示すように、第２のダイレクト補充処理と同様の処理を行って、硬貨入金部１２の硬貨を還流部３３〜３８の対応する金種のものに収納する。
【０１５９】
「第２の出金処理」
第２の出金処理では、図３９に太実線で示すように、第１の出金処理と同様、出金データに基づいて、硬貨を、金種別に設けられた還流部３３〜３８の対応する金種のものから繰り出し、出金側搬送部５５、硬貨入金部１２および入金側搬送部１５で搬送して、識別部２０で識別および計数しつつ放出案内部２１でカルトン１４へ放出する。一方で、第２の出金処理では、第１の出金処理とは異なり、リジェクト硬貨を図３９に太破線で示すように、プールカセット３２へ収納する。そして、第２の出金処理の完了後、プールカセット３２に硬貨がある場合には、硬貨を繰出部４２で繰り出して、再度、識別部２０で識別させる処理を行う。それ以外は、第１の出金処理と基本的に同じである。
【０１６０】
「第２の自己精査処理」
第２の自己精査処理では、図４０に太実線で示すように、第１の出金処理と同様、還流部３３〜３８のうちの精査対象のものから一旦すべての硬貨を繰り出して硬貨入金部１２に貯留し、その後、硬貨入金部１２から識別部２０で識別および計数しつつ、識別結果に基づいて、還流案内部２３〜２８の対応する金種のもので還流部３３〜３８の対応金種のものに収納させる。このような処理を還流部３３〜３８に順に行う。第２の自己精査処理では、第１の自己精査処理とは異なり、プールスタッカ３９についての精査を還流部３３〜３８と同様に行う。第２の自己精査処理では、精査中に識別部２０でリジェクト硬貨と判定された硬貨は、図４０に太破線で示すように、プールカセット３２へ搬送した後、プールカセット３２から再び繰り出して識別部２０で再度識別させる。それ以外は、第１の自己精査処理と基本的に同じである。このように、第２の自己精査処理では、精査すべき硬貨が還流部３３〜３８およびプールスタッカ３９に収納されている。このため、硬貨入金部１２およびプールカセット３２の両方を利用した精査動作が可能となる。還流部３３〜３８およびプールスタッカ３９の各収納容量よりもプールカセット３２の収納容量の方が多いことから、第１の自己精査処理で受けたような制約を受けにくい。
【０１６１】
「第２のカセット収集処理」
第２の動作モードでは、プールカセット３２を、入金処理時に硬貨入金部１２に投入され識別部２０で識別された硬貨を一時貯留する一時貯留部として使用し、プールスタッカ３９にオーバーフロー硬貨、汚損硬貨および旧５００円硬貨を収納している。そして、通常動作時には、一つの取引の入出金が終了したときには、プールカセット３２内に硬貨は存在せず、そのまま業務終了となったときにも、プールカセット３２内に硬貨は存在することがない。よって、第２のカセット収集処理を行うに当たって、すでにプールカセット３２は空であり、よって、第２のカセット収集処理を直ちに開始可能となる。第２のカセット収集処理は、プールスタッカ３９が、第２のカセット収集処理後も、硬貨を収納したままの状態を維持する点が第１のカセット収集処理とは異なる。それ以外は、図３０に太線で示すルートで硬貨を搬送する第１のカセット収集処理と基本的に同じである。第１の動作モードおよび第２の動作モードの両方で、プールカセット３２を、カセット収集処理時に金種別の還流部３３〜３８から繰り出された硬貨を収納する一括収納カセットとして使用する。
【０１６２】
ここで、第２のカセット収集処理において、プールカセット３２の交換の際には、制御部６１は、第１のカセット収集処理と同様の処理を行う。
【０１６３】
「第２のカルトン収集処理」
第２のカルトン収集処理は、図４１に太実線で示すように、第１のカルトン収集処理と同様、硬貨を、金種別に設けられた還流部３３〜３８の対応する金種のものから繰り出し、出金側搬送部５５、硬貨入金部１２および入金側搬送部１５で搬送して、識別部２０で識別および計数しつつ放出案内部２１でカルトン１４へ放出する。その一方で、第２のカルトン収集処理では、第１のカルトン収集処理とは異なり、プールスタッカ３９から硬貨を繰り出し、出金側搬送部５５、硬貨入金部１２および入金側搬送部１５で搬送して、識別部２０で識別および計数しつつ放出案内部２１でカルトン１４へ放出する。硬貨の繰り出し元の一つがプールスタッカ３９であること以外は、第１のカルトン収集処理と基本的に同じである。
【０１６４】
「第２の整理計数処理」
第２の整理計数処理では図４２に太実線で示すように、硬貨入金部１２に投入された硬貨を入金側搬送部１５で搬送し、識別部２０の識別結果に基づいて、真硬貨を、カセット案内部２２でプールカセット３２へ搬送する。その一方で、リジェクト硬貨を、図４２に太破線で示すように放出案内部２１でカルトン１４へ搬送し、その後、返却操作が可能な状態で、操作表示部６２に返却操作が入力されると、プールカセット３２から硬貨を繰り出し、出金側搬送部５５、硬貨入金部１２および入金側搬送部１５で搬送して放出案内部２１でカルトン１４に放出する。プールカセット３２に硬貨を一時貯留する以外は、第１の整理計数処理と基本的に同じである。第２の整理計数処理では、一度に計数できる枚数はプールカセット３２の収納容量の枚数であり、プールカセット３２の収納容量が６００枚であるため、一度に６００枚まで計数できる。
【０１６５】
「第２の分配回収処理」
第２の分配回収処理は図４３に太実線で示すように、プールスタッカ３９内の硬貨を繰り出し、出金側搬送部５５、硬貨入金部１２および入金側搬送部１５で搬送して識別部２０で識別後、その結果に基づいて、出金に利用できる硬貨を還流部３３〜３８に振り分けて収納する。その一方、還流部３３〜３８に入り切らないオーバーフロー硬貨と、出金に利用できない硬貨を汚損硬貨および旧５００円硬貨とは、図４３に太破線で示すように、放出案内部２１でカルトン１４に搬送する。硬貨の繰り出し元がプールスタッカ３９であること以外は、第１の分配回収処理と基本的に同じである。
【０１６６】
「第２の分配処理」
第２の分配処理は、図４４に太実線で示すように、プールスタッカ３９内の硬貨を繰り出し、出金側搬送部５５、硬貨入金部１２および入金側搬送部１５で搬送して識別部２０で識別後、その結果に基づいて、出金に利用できる硬貨を還流部３３〜３８に振り分けて収納する一方、還流部３３〜３８に入り切らないオーバーフロー硬貨と、出金に利用できない汚損硬貨および旧５００円硬貨とは、図４４に太破線で示すように、プールカセット３２に搬送する。硬貨の繰り出し元がプールスタッカ３９であり、出金に利用できない硬貨の搬送先がプールカセット３２であること以外は、第１の分配回収処理と基本的に同じである。
【０１６７】
第２の動作モードでは、大量枚数の入金処理などが可能となり、作業効率を高めた貨幣処理装置１０を提供できる。
【０１６８】
［動作モードの選択］
貨幣処理装置１０において、第１の動作モードと第２の動作モードとは切り替え可能であるが、動作モードの設定には、事前マニュアル設定方式と事前自動設定方式と任意設定可能方式とがある。
【０１６９】
「事前マニュアル設定方式」
事前マニュアル設定方式は、所定の管理者モード、サービス員設定モードなど、特別な権限またはモード下において、第１の動作モードと第２の動作モードとの切り替えを可能とする設定方式である。通常は、貨幣処理装置１０の導入時、または、毎朝の業務開始前に、当日の業務予測（顧客来店予測等、過去実績に基づいた情報）に応じて、操作表示部６２へのマニュアル操作にて、いずれかの動作モードが選択設定される。設定された動作モードは、貨幣処理装置１０の操作表示部６２や、これに通信可能な端末機等に表示可能である。業務時間中にこれらの動作モードを変更することは原則行わず、終業時まで、これらの動作モードを維持運用するようになっている。いずれにしても、貨幣処理装置１０を導入した店舗の顧客特性等から小口顧客が多い場合や、過去の実績、月日、曜日等々の条件を鑑みて小口取引が多いと考えられるときには、従来と同様の動作モードである第１の動作モードを基本的に選択設定することで、適宜適切な運用が可能となる。また、業務予測等で大口取引の可能性の情報があるときには、業務開始前に、第２の動作モードを選択設定して運用させることも可能となる。
【０１７０】
「事前自動設定方式」
事前自動設定方式は、貨幣処理装置１０の電源立ち上げ時、貨幣処理装置１０の内部の現金つまり硬貨がない（残置仕様でない）ことを条件として、貨幣処理装置１０または店舗内管理サーバ（さらには店舗外管理サーバもあり得る）内に記憶されている、当該店舗の、当日の業務予測（顧客来店予測等、過去実績に基づいた情報）に応じて、貨幣処理装置１０が自動的に、あるいは店舗内管理サーバからの指示で第１の動作モードと第２の動作モードの切り替え設定を行う。
【０１７１】
「任意設定可能方式（都度）」
事前マニュアル設定方式および事前自動設定方式においては、一旦設定された動作モードは、設定された日の業務が完了するまでは、それぞれの動作モードに固定であるのに対し、任意設定可能方式は、条件が整えば、操作者の権限で、都度、動作モードを変更できる方式である。なお、貨幣処理装置１０の電源立ち上げ時に設定される動作モードは、事前マニュアル設定方式および事前自動設定方式のいずれの方式で選択設定されても良い。ところで、業務途中において、これらの動作モードを変更する必要性がある場合は、第１の動作モードから第２の動作モードへの変更を要するときだけである。すなわち、通常、小口の入出金だけが行われている場面にあっては、第１の動作モードであっても、第２の動作モードであっても、何ら影響を受けない。これに対して、予定外に顧客が大量の硬貨を持参して入金することが希に存在する。大量の硬貨の入金に対応しうるモードは、上記したように第２の動作モードである。よって、第１の動作モードでの運用中に、やむを得ず、第２の動作モードで運用できる条件を設定すれば良い。
【０１７２】
｛第１の動作モードから第２の動作モードへの設定変更可能条件について｝
第１の動作モードでは、プールカセット３２にオーバーフロー硬貨等を保管しているので、プールカセット３２に収納されている硬貨を、第１の動作モードの第１の入金処理で一時貯留していたプールスタッカ３９に収納できるか否かによって、第１の動作モードから第２の動作モードへの設定変更が可能か否かが決まる。上記実施態様では、プールスタッカ３９の容量は１５０枚であるので、最大容量６００枚のプールカセット３２に収納されている硬貨が１５０枚以下であれば、これら硬貨をプールスタッカ３９に移動させることで、プールカセット３２内を空にする。
【０１７３】
なお、１５０枚近くの硬貨の移動には、時間が掛かるので、さらに好ましい態様では、一例として、（１）５０枚までの移動を要するときは無条件に搬送移動を開始する。（２）１００枚以上（移動しきれない１５０枚以上を含む）の硬貨の移動を要するときは、搬送移動を伴わない、空のプールカセット３２へ交換させる。（３）５０枚から１００枚までの移動を要するときは、これらの移動に要する予測時間を操作表示部６２に表示して、操作表示部６２への操作入力で硬貨の移動またはカセット交換のいずれかを選択させるようにする。但し、操作員の判断を要せず、（３）を無くし、一例に示した５０枚を超えるか否かで、搬送移動、カセット交換のいずれかを行うようにしても良い。
【０１７４】
これらにより、第１の動作モードで運用中に、大量の硬貨の入金が求められた場合、操作員は、端末機等において、動作モードの変更設定を行う。動作モードの変更設定は、操作選択が行いやすいように、「大量硬貨入金処理」と言うような処理名を作成して、選択設定させるようにしても良い。そして、顧客からの取引処理内容を把握したところで、貨幣処理装置１０に通信可能な端末機において、「大量硬貨入金処理」を選択すると、貨幣処理装置１０は、その時点でのプールカセット３２内の収納枚数を確認し、上記した処理に基づいて、第１の動作モードから第２の動作モードへのモード変更動作を行う。すなわち、（１）プールカセット３２内の硬貨をプールスタッカ３９へ自動的に移動させる。（２）貨幣処理装置１０または端末機の表示部に硬貨搬送予測時間を表示して、硬貨搬送を実行するかカセット交換を行うかの選択操作の入力を行わせる。（３）カセット交換の指示を表示して、カセット交換作業を促す。これらの動作、指示、作業後に、貨幣処理装置１０は第１の動作モードから第２動作モードに設定変更され、硬貨入金部１２への硬貨の投入を促す指示を操作表示部６２に表示する。このとき、一回で１５０枚以上の硬貨の投入は避けられ、追加投入指示による入金作業が繰り返される。大量硬貨の入金がなされた結果は、各還流部３３〜３８およびプールスタッカ３９への分配が可能であれば、これを行う。分配を行っても、分配しきれない硬貨が残ることが予測されたときは、上記したように、カセット交換を指示する。
【０１７５】
｛第２の動作モードから第１の動作モードへの設定変更可能条件について｝
通常は、上記の大量硬貨入金終了後に、第２の動作モードであったモードを、第１の動作モードに戻す作業となる。もともと第２の動作モードで運用中に、第１の動作モードに変更する必要性は少ない。例えば、オーバーフロー硬貨等を１５０枚以上収納したまま、装置運用を継続したときに変更される。第２の動作モードから第１の動作モードへの設定変更時には、プールスタッカ３９に移動収納させた硬貨を、プールカセット３２に収納し直す必要があるが、収納容量の問題は少ないので、上記した大量硬貨入金処理の終了後、プールカセット３２がセットされていることを条件に、直ちに、搬送移動処理を行う。その際に、識別部２０で識別および計数を行う。
【０１７６】
以上に述べた貨幣処理装置１０によれば、プールカセット３２は、開閉体２０３が開閉ロック部２３１でロックされることになるが、プールカセット３２が装置本体１１にセットされた状態にあれば、装置本体１１の装置本体側ロック解除機構３６１が電動で開閉ロック部２３１のロックを解除することになる。よって、装置本体１１側の管理下で開閉ロック部２３１のロックを解除することができるため、セキュリティ性を確保した上で、別体のキー部材２６８のキー操作が不要となり、使い勝手性を向上させることができる。また、プールカセット３２のキーロック解除機構２７１が別体のキー部材２６８のキー操作で開閉ロック部２３１のロックを解除することになるため、セキュリティ性を確保する上で必要な別体のキー部材２６８のキー操作でのロック解除も可能である。
【０１７７】
また、キーロック解除機構２７１は、プールカセット３２が装置本体１１にセットされた状態では、キー操作が規制されるため、装置本体１１側の管理下でのみ開閉ロック部２３１のロックを解除することができることになり、セキュリティ性をより向上させることができる。つまり、プールカセット３２が装置本体１１にセットされた状態では、キー穴３４２にアクセスできなくなり、キー部材２６８による手動での開閉体２０３の開放はできなくなる。装置本体側ロック解除機構３６１による開閉体２０３のロック解除のみとなるため、顧客による手動での開閉体２０３の開放を規制することにより、操作ミスを防ぐとともに、セキュリティ上の観点から操作ログに履歴を残すことができる。
【０１７８】
また、装置本体１１のカセットロック機構４０１が、装置本体１１にセットされた状態のプールカセット３２をセット状態でロックするとともに電動でロックが解除されるため、装置本体１１側の管理下でロックを解除することができ、セキュリティ性をより向上させることができる。
【０１７９】
また、プールカセット３２が、収納している硬貨を装置本体１１に繰り出し可能であるため、プールカセット３２の硬貨を装置本体１１に繰り出すことができる。
【０１８０】
また、第１の動作モードでは、還流部３３〜３８でオーバーフローするオーバーフロー硬貨（装置管理の硬貨）をプールカセット３２に収納可能となるため、装置本体１１の装置本体側ロック解除機構３６１が開閉ロック部２３１のロックを解除しないことで、オーバーフロー硬貨の取り出しを規制する。他方、第２の動作モードでは、硬貨入金部１２に投入され識別部２０で識別された、金種別の還流部３３〜３８に収納する前の硬貨（装置管理前の硬貨）をプールカセット３２に一時貯留するため、一時貯留した硬貨を返却する返却処理時に、装置本体１１の装置本体側ロック解除機構３６１が電動で開閉ロック部２３１のロックを解除することで、開閉体２０３を開けば、硬貨の返却が容易となる。
【０１８１】
また、第１の動作モードおよび第２の動作モードの両方で、カセット収集処理時に、プールカセット３２を、金種別の還流部３３〜３８から繰り出された硬貨を収納する一括収納カセットとするため、いずれの動作モードであっても、収集した硬貨を収納した状態のプールカセット３２を、装置本体１１から取り外して運搬する際に、ロック解除に別体のキー部材２６８のキー操作を要する状態で安全に運搬することができる。
【０１８２】
また、第１の動作モードおよび第２の動作モードの両方で、カセット補充処理時に、プールカセット３２を、金種別の還流部３３〜３８に補充する硬貨が装填される一括収納カセットとするため、いずれの動作モードであっても、硬貨が装填された状態のプールカセット３２を、装置本体１１にセットするまでの間、ロック解除に別体のキー部材２６８のキー操作を要する状態で安全に運搬することができる。
【０１８３】
また、第１の動作モードでは、プールスタッカ３９を一時貯留部としプールスタッカ３９よりも収納容量が大のプールカセット３２を一括収納部とするため、入金処理時に少量の硬貨が投入される場合に好適となる。その場合に、各還流部３３〜３８でオーバーフローするオーバーフロー硬貨を収納容量が大のプールカセット３２に収納可能となるため、オーバーフロー硬貨の硬貨量が多くなることによる装置停止の頻度を減らすことができる。他方、第２の動作モードでは、プールスタッカ３９を一括収納部としプールスタッカ３９よりも収納容量が大のプールカセット３２を一時貯留部とするため、入金処理時に大量の硬貨が投入される場合に、一度に多くの硬貨を処理可能となり好適となる。よって、一時貯留部および一括収納部の両方の容量を増大させなくても、使い勝手性が向上し、利便性が良く、作業の効率化に繋がる。したがって、大型化を抑制しつつ使い勝手性を向上可能な貨幣処理装置１０となる。しかも、例えば操作表示部６２への操作で、第１の動作モード１と第２の動作モードとを、切り替えることができるため、操作者が所望する仕様を選択して、現金処理を行うことができる。
【０１８４】
また、第１の動作モードの第１のカセット収集処理時および第２の動作モードの第２のカセット収集処理時の両方で、装置本体１１に対し着脱可能であってプールスタッカ３９よりも収納容量が大のプールカセット３２を一括収納カセットとするため、いずれの動作モードであっても、カセット収集処理時に金種別の還流部３３〜３８から多くの硬貨を回収することができる。
【０１８５】
また、第１の動作モードの第１のカセット補充処理時および第２の動作モードの第２のカセット補充処理時の両方で、装置本体１１に対し着脱可能であってプールスタッカ３９よりも収納容量が大のプールカセット３２を一括収納カセットとするため、いずれの動作モードであっても、カセット補充処理時に金種別の還流部３３〜３８に多くの硬貨を補充することができる。
【符号の説明】
【０１８６】
１０  貨幣処理装置（硬貨処理装置）
１１  装置本体
１２  硬貨入金部
２０  識別部
３２  プールカセット（硬貨カセット）
３３〜３８  還流部（繰出収納部）
２０１  収納体
２０３  開閉体
２３１  開閉ロック部
２６８  キー部材
２７１  キーロック解除機構
３６１  装置本体側ロック解除機構
４０１  カセットロック機構
【図１】
2018073180.tif 000003
【図２】
2018073180.tif 000004
【図３】
2018073180.tif 000005
【図４】
2018073180.tif 000006
【図５】
2018073180.tif 000007
【図６】
2018073180.tif 000008
【図７】
2018073180.tif 000009
【図８】
2018073180.tif 000010
【図９】
2018073180.tif 000011
【図１０】
2018073180.tif 000012
【図１１】
2018073180.tif 000013
【図１２】
2018073180.tif 000014
【図１３】
2018073180.tif 000015
【図１４】
2018073180.tif 000016
【図１５】
2018073180.tif 000017
【図１６】
2018073180.tif 000018
【図１７】
2018073180.tif 000019
【図１８】
2018073180.tif 000020
【図１９】
2018073180.tif 000021
【図２０】
2018073180.tif 000022
【図２１】
2018073180.tif 000023
【図２２】
2018073180.tif 000024
【図２３】
2018073180.tif 000025
【図２４】
2018073180.tif 000026
【図２５】
2018073180.tif 000027
【図２６】
2018073180.tif 000028
【図２７】
2018073180.tif 000029
【図２８】
2018073180.tif 000030
【図２９】
2018073180.tif 000031
【図３０】
2018073180.tif 000032
【図３１】
2018073180.tif 000033
【図３２】
2018073180.tif 000034
【図３３】
2018073180.tif 000035
【図３４】
2018073180.tif 000036
【図３５】
2018073180.tif 000037
【図３６】
2018073180.tif 000038
【図３７】
2018073180.tif 000039
【図３８】
2018073180.tif 000040
【図３９】
2018073180.tif 000041
【図４０】
2018073180.tif 000042
【図４１】
2018073180.tif 000043
【図４２】
2018073180.tif 000044
【図４３】
2018073180.tif 000045
【図４４】
2018073180.tif 000046